(57)【特許請求の範囲】
【請求項１】
遊技領域を有する遊技盤と、
前記遊技領域へ向けて遊技球を発射可能な発射装置と、
予め設定された数値範囲内で数値データを更新する数値データ更新手段と、
前記数値データ更新手段が更新した数値データを、前記遊技領域に設けられている始動入賞口への遊技球の入賞に基づいて取得する数値データ取得手段と、
前記数値データ取得手段が取得した数値データに基づいて当否判定を行う当否判定手段と、
前記数値データ取得手段が取得した数値データに基づき、遊技者が識別可能な識別情報を変動表示し、前記当否判定手段による当否判定結果に基づく識別情報で停止表示可能な表示手段とを備え、
前記識別情報の変動表示及び前記当否判定手段による当否判定を順次実行すると共に、前記当否判定結果が当たりとなった場合に遊技者にとって有利となる特別遊技状態を発生可能にした遊技機において、
予め定められた上限数まで前記数値データ取得手段が取得した数値データを記憶して当該数値データに基づく前記識別情報の変動表示及び前記当否判定手段による当否判定の実行を一旦保留し、前記記憶した数値データに基づく前記識別情報の変動表示及び前記当否判定手段による当否判定が順次実行された際に、当該実行された識別情報の変動表示及び当否判定と対応する数値データの記憶を消去する判定保留記憶手段と、
前記判定保留記憶手段に記憶した数値データに基づく前記識別情報の変動表示及び前記当否判定手段による当否判定の実行前に、当該保留記憶している当該数値データが前記当否判定手段によって当たりと判定される数値データの少なくとも一つか否かを事前に判定し、該事前判定結果を事前判定結果報知手段で報知する第１の事前判定手段と、
前記判定保留記憶手段に記憶した数値データに対する前記当否判定手段による当否判定の実行前に、当該保留記憶している当該数値データが前記当否判定手段によって当たりと判定される数値データの少なくとも一つか否かを前記第１の事前判定手段とは異なるタイミングで事前に判定し、該事前判定結果を事前判定結果報知手段で報知する第２の事前判定手段と、
前記判定保留記憶手段に記憶した数値データに基づいて前記識別情報の変動時間を決定する変動時間決定手段とを備え、
前記第１の事前判定手段は、前記判定保留記憶手段によって保留記憶可能な上限数内の予め定めた範囲の第１保留記憶群内の数値データを事前に判定する一方、前記第２の事前判定手段は、前記判定保留記憶手段によって保留記憶可能な上限数内で前記第１保留記憶群とは別に予め定めた範囲の第２保留記憶群内の数値データを事前に判定するように構成し、
前記第２の事前判定手段の実行タイミングは、前記第１の事前判定手段によって事前判定された前記第１保留記憶群の数値データに基づく識別情報の変動表示が終了した後の識別情報の変動表示における変動時間内で実行されるように構成したことを特徴とする遊技機。
【請求項２】
前記変動時間決定手段は、前記第１の事前判定手段によって事前判定された前記第１保留記憶群の数値データに基づく識別情報の各々の変動時間を、前記識別情報の変動開始後に発射された遊技球が前記始動入賞口に到達する以前に終了する時間に決定する一方、前記第２の事前判定手段が実行される前記変動時間を、前記識別情報の変動開始後に発射された遊技球が前記始動入賞口に複数到達可能な時間に決定することを特徴とする請求項１に記載の遊技機。
【請求項３】
前記始動入賞口は、第１の始動入賞口と第２の始動入賞口が設けられ、
前記特別遊技状態の終了後に通常遊技よりも遊技者に有利な特典を与える特典遊技を実行する特典遊技実行手段を備え、
前記通常遊技中は、前記第１の始動入賞口及び前記第２の始動入賞口に遊技球が入球可能に構成し、
前記特典遊技実行手段によって特典遊技が実行された際は、前記第１の始動入賞口よりも前記第２の始動入賞口に遊技球を入球しやすく構成したことを特徴とする請求項１又は２に記載の遊技機。
【請求項４】
前記通常遊技中は、前記第１の始動入賞口よりも前記第２の始動入賞口に遊技球が入球し難く構成したことを特徴とする請求項３に記載の遊技機。
【請求項５】
前記第１の事前判定手段は、前記特別遊技状態中あるいは前記特別遊技の実行前に前記第１保留記憶群内の数値データを事前に判定することを特徴とする請求項１から４の何れか一項に記載の遊技機。
【請求項６】
前記第２の事前判定手段は、前記変動時間決定手段によって決定された前記第２の事前判定手段が実行される変動時間内で前記第２保留記憶群内の数値データを事前に判定することを特徴とする請求項１から５の何れか一項に記載の遊技機。
【請求項７】
前記第１保留記憶群と前記第２保留記憶群は、前記判定保留記憶手段によって保留記憶可能な上限数内で存在可能に構成され、
前記第１保留記憶群の数値データに基づく前記識別情報の変動表示の方が、前記第２保留記憶群の数値データに基づく前記識別情報の変動表示よりも先に実行されることを特徴とする請求項１から６の何れか一項に記載の遊技機。
【請求項８】
前記第１保留記憶群の予め定めた範囲の上限数は、前記判定保留記憶手段によって保留記憶可能な上限数よりも少なく設定され、
前記第１保留記憶群に記憶された保留記憶の上限数の次の保留記憶によって、前記第２の事前判定手段が実行されることを特徴とする請求項１から７の何れか一項に記載の遊技機。
【発明の詳細な説明】
【技術分野】
【０００１】
本発明は、始動入賞口への入賞に基づき当否判定に用いる数値データを取得する遊技機に関する。
【背景技術】
【０００２】
従来、パチンコ機等の遊技機には、遊技盤に設けた始動入賞口への遊技球の入賞（入球）に基づいて遊技の当否判定に用いる数値データを取得し、液晶表示装置等の表示手段に複数の識別情報を変動表示してその後に停止表示した識別情報で当否判定結果を表示し、当否判定結果が当たりの場合には遊技者に有利な特別遊技（大当たり遊技）を実行する機種がある。
【０００３】
このような遊技機においては、始動入賞口への遊技球の入賞が所定個数（例えば４個）までは当否判定に用いる数値データを記憶し、記憶している個数分までは当否判定を行い、所定個数を超える数の入賞については数値データを記憶せず、当否判定を行わないようになっている。また、表示手段の変動表示に関連して、当たりやリーチなど遊技者にとって特別な価値を付加する可能性がある旨を、当否判定結果の表示に先立って、ランプ、表示手段、スピーカー、駆動役物等による演出で予告報知することが知られている。
【０００４】
前記のような従来の遊技機において、始動入賞口に入賞したが、まだ識別情報の変動表示が行われずに保留されている分の記憶に対して、当該識別情報の変動表示前に当否判定結果が当たりになるか否かを演出によって示唆・報知する事前判定演出を行うものがある。
【０００５】
しかし、従来の遊技機においては、事前判定結果を報知する事前判定演出の行われるタイミングが独立したものになっており、複数の種類の事前判定演出を備えたものにあっても、事前判定演出がそれぞれ単体で独立した演出になってしまい、演出が単調になる問題がある。
【先行技術文献】
【特許文献】
【０００６】
【特許文献１】特開２０１１−３０７４７号公報
【発明の概要】
【発明が解決しようとする課題】
【０００７】
本発明は、前記の点に鑑みなされたものであって、第１のタイミングで行われる第１の事前判定手段による事前判定結果（第１の事前判定結果）の報知（第１の事前判定演出）と、その報知時に事前判定された数値データに基づく識別情報の変動が終了した後の識別情報の変動に基づく第２のタイミングで行われる第２の事前判定手段による事前判定結果（第２の事前判定結果）の報知（第２の事前判定演出）との実行により、２つの事前判定の報知を行う新しい遊技性を持った事前判定の演出を行うことができる遊技機の提供を目的とする。
【課題を解決するための手段】
【０００８】
請求項１の発明は、遊技領域を有する遊技盤と、前記遊技領域へ向けて遊技球を発射可能な発射装置と、予め設定された数値範囲内で数値データを更新する数値データ更新手段と、前記数値データ更新手段が更新した数値データを、前記遊技領域に設けられている始動入賞口への遊技球の入賞に基づいて取得する数値データ取得手段と、前記数値データ取得手段が取得した数値データに基づいて当否判定を行う当否判定手段と、前記数値データ取得手段が取得した数値データに基づき、遊技者が識別可能な識別情報を変動表示し、前記当否判定手段による当否判定結果に基づく識別情報で停止表示可能な表示手段とを備え、前記識別情報の変動表示及び前記当否判定手段による当否判定を順次実行すると共に、前記当否判定結果が当たりとなった場合に遊技者にとって有利となる特別遊技状態を発生可能にした遊技機において、予め定められた上限数まで前記数値データ取得手段が取得した数値データを記憶して当該数値データに基づく前記識別情報の変動表示及び前記当否判定手段による当否判定の実行を一旦保留し、前記記憶した数値データに基づく前記識別情報の変動表示及び前記当否判定手段による当否判定が順次実行された際に、当該実行された識別情報の変動表示及び当否判定と対応する数値データの記憶を消去する判定保留記憶手段と、前記判定保留記憶手段に記憶した数値データに基づく前記識別情報の変動表示及び前記当否判定手段による当否判定の実行前に、当該保留記憶している当該数値データが前記当否判定手段によって当たりと判定される数値データの少なくとも一つか否かを事前に判定し、該事前判定結果を事前判定結果報知手段で報知する第１の事前判定手段と、前記判定保留記憶手段に記憶した数値データに対する前記当否判定手段による当否判定の実行前に、当該保留記憶している当該数値データが前記当否判定手段によって当たりと判定される数値データの少なくとも一つか否かを前記第１の事前判定手段とは異なるタイミングで事前に判定し、該事前判定結果を事前判定結果報知手段で報知する第２の事前判定手段と、前記判定保留記憶手段に記憶した数値データに基づいて前記識別情報の変動時間を決定する変動時間決定手段とを備え、前記第１の事前判定手段は、前記判定保留記憶手段によって保留記憶可能な上限数内の予め定めた範囲の第１保留記憶群内の数値データを事前に判定する一方、前記第２の事前判定手段は、前記判定保留記憶手段によって保留記憶可能な上限数内で前記第１保留記憶群とは別に予め定めた範囲の第２保留記憶群内の数値データを事前に判定するように構成し、前記第２の事前判定手段の実行タイミングは、前記第１の事前判定手段によって事前判定された前記第１保留記憶群の数値データに基づく識別情報の変動表示が終了した後の識別情報の変動表示における変動時間内で実行されるように構成したことを特徴とする。
【０００９】
請求項２の発明は、請求項１において、前記変動時間決定手段は、前記第１の事前判定手段によって事前判定された前記第１保留記憶群の数値データに基づく識別情報の各々の変動時間を、前記識別情報の変動開始後に発射された遊技球が前記始動入賞口に到達する以前に終了する時間に決定する一方、前記第２の事前判定手段が実行される前記変動時間を、前記識別情報の変動開始後に発射された遊技球が前記始動入賞口に複数到達可能な時間に決定することを特徴とする。
【００１０】
請求項３の発明は、請求項１又は２において、前記始動入賞口は、第１の始動入賞口と第２の始動入賞口が設けられ、前記特別遊技状態の終了後に通常遊技よりも遊技者に有利な特典を与える特典遊技を実行する特典遊技実行手段を備え、前記通常遊技中は、前記第１の始動入賞口及び前記第２の始動入賞口に遊技球が入球可能に構成し、前記特典遊技実行手段によって特典遊技が実行された際は、前記第１の始動入賞口よりも前記第２の始動入賞口に遊技球を入球しやすく構成したことを特徴とする。
【００１１】
請求項４の発明は、請求項３において、前記通常遊技中は、前記第１の始動入賞口よりも前記第２の始動入賞口に遊技球が入球し難く構成したことを特徴とする。
【００１２】
請求項５の発明は、請求項１から４の何れか一項において、前記第１の事前判定手段は、前記特別遊技状態中あるいは前記特別遊技の実行前に前記第１保留記憶群内の数値データを事前に判定することを特徴とする。
【００１３】
請求項６の発明は、請求項１から５の何れか一項において、前記第２の事前判定手段は、前記変動時間決定手段によって決定された前記第２の事前判定手段が実行される変動時間内で前記第２保留記憶群内の数値データを事前に判定することを特徴とする。
【００１４】
請求項７の発明は、請求項１から６の何れか一項において、前記第１保留記憶群と前記第２保留記憶群は、前記判定保留記憶手段によって保留記憶可能な上限数内で存在可能に構成され、前記第１保留記憶群の数値データに基づく前記識別情報の変動表示の方が、前記第２保留記憶群の数値データに基づく前記識別情報の変動表示よりも先に実行されることを特徴とする。
【００１５】
請求項８の発明は、請求項１から７の何れか一項において、前記第１保留記憶群の予め定めた範囲の上限数は、前記判定保留記憶手段によって保留記憶可能な上限数よりも少なく設定され、前記第１保留記憶群に記憶された保留記憶の上限数の次の保留記憶によって、前記第２の事前判定手段が実行されることを特徴とする。
【発明の効果】
【００１６】
請求項１の発明によれば、前記第１の事前判定手段は、前記判定保留記憶手段によって保留記憶可能な上限数内の予め定めた範囲の第１保留記憶群内の数値データを事前に判定する一方、前記第２の事前判定手段は、前記判定保留記憶手段によって保留記憶可能な上限数内で前記第１保留記憶群とは別に予め定めた範囲の第２保留記憶群内の数値データを事前に判定するように構成し、前記第２の事前判定手段の実行タイミングは、前記第１の事前判定手段によって事前判定された前記第１保留記憶群の数値データに基づく識別情報の変動表示が終了した後の識別情報の変動表示における変動時間内で実行されるように構成したことにより、複数回の事前判定を、事前判定を行った識別情報の変動を間に挟んで連続的に行うことができ、１回の事前判定で判定できる最大数以上の始動入賞口への入賞分までの判定が可能になると共に、複数種類の事前判定結果報知の演出を行うことができ、新しい遊技性を持った事前判定の演出を行うことが可能となる。
【００１７】
請求項２の発明によれば、第１の事前判定が実行された数値データの当否判定結果を遊技者が早く確認することができ、かつ第２の事前判定をより多くの保留に対して行うことが可能となり、遊技性を高めることができる。
【００１８】
請求項３及び請求項４の発明によれば、通常遊技状態の場合と特典遊技状態の場合とで、遊技球が入球しやすい始動入賞口が異なるため、各遊技状態に応じて入球しやすい始動入賞口を狙って遊技球を発射させることで事前判定の対象となる入賞を増やすことができ、遊技性を高めることが可能となる。
【００１９】
請求項５の発明によれば、特別遊技状態中あるいは特別遊技の実行前に第１事前判定手段が事前判定を行うため、遊技者はその後の当たりによる特別遊技の連続実行に対する期待感が高まり、遊技性を向上させることが可能となる。
【００２０】
請求項６の発明によれば、第２の事前判定を識別情報の変動時間内に実行することができ、識別情報の変動時間が遊技者にとってより興味の高いものとなり、遊技性を向上させることが可能である。
【００２１】
請求項７の発明によれば、第１の事前判定が実行された数値データに基づく識別情報の変動表示の後に、第２の事前判定が実行された数値データに基づく識別情報の変動表示を行うことが可能となる。
【００２２】
請求項８の発明によれば、第１保留記憶群で記憶可能な上限数を超えた保留記憶に対して第２の事前判定を行うことが可能となる。
【図面の簡単な説明】
【００２３】
【図１】本発明の一実施例に係る遊技機の正面図である。
【図２】同遊技機の背面図である。
【図３】同遊技機の制御基板や装置等の接続を簡略に示すブロック図である。
【図４】第１の事前判定演出開始時の表示を示す図である。
【図５】第１の事前判定演出においてスロットの回転中を示す図である。
【図６】スロットの左図柄停止を示す図である。
【図７】スロットの左・中図柄停止を示す図である。
【図８】第１の事前判定において外れの事前判定結果の報知例を示す図である。
【図９】第１の事前判定において当たりの事前判定結果の報知例を示す図である。
【図１０】特定演出（第２の事前判定演出）の開始時の表示を示す図である。
【図１１】特定演出における始動入賞口への打ち出しを促す表示の図である。
【図１２】特定演出における事前判定数の表示態様を示す図である。
【図１３】特定演出における事前判定数及び演出の表示を示す図である。
【図１４】特定演出における事前判定結果の報知例を示す図である。
【図１５】特定演出における事前判定数の減少表示態様を示す図である。
【図１６】主制御基板のメイン処理のフローチャートである。
【図１７】同主制御基板における割り込み処理のフローチャートである。
【図１８】同割り込み処理における始動入賞口スイッチ検出処理の第１フローチャートである。
【図１９】同始動入賞口スイッチ検出処理の第２フローチャートである。
【図２０】同割り込み処理におけるゲート通過処理のフローチャートである。
【図２１】同割り込み処理における特別動作処理のフローチャートである。
【図２２】同割り込み処理における特別図柄待機処理のフローチャートである。
【図２３】同割り込み処理における特図２大当たり判定処理と特図１大当たり判定処理のフローチャートである。
【図２４】同割り込み処理における特図２選択処理と特図１選択処理のフローチャートである。
【図２５】同割り込み処理における特図２変動態様選択処理と特図１変動態様選択処理の第１フローチャートである。
【図２６】同割り込み処理における特図２変動態様選択処理と特図１変動態様選択処理の第２フローチャートである。
【図２７】同割り込み処理における特図２乱数シフト処理と特図１乱数シフト処理のフローチャートである。
【図２８】同割り込み処理における変動中処理のフローチャートである。
【図２９】同割り込み処理における特別図柄確定処理のフローチャートである。
【図３０】同割り込み処理における特別電動役物処理の第１フローチャートである。
【図３１】同割り込み処理における特別電動役物処理の第２フローチャートである。
【図３２】同割り込み処理における保留数処理のフローチャートである。
【図３３】同割り込み処理における電源断監視処理のフローチャートである。
【図３４】サブ制御基板におけるメイン処理のフローチャートである。
【図３５】サブ制御外部ＩＮＴ割り込み処理のフローチャートである。
【図３６】サブ制御２ｍｓタイマ割り込み処理のフローチャートである。
【図３７】サブ制御１０ｍｓタイマ割り込み処理のフローチャートである。
【図３８】メインコマンド監視処理のフローチャートである。
【図３９】始動入賞口処理のフローチャートである。
【図４０】入賞データ格納処理のフローチャートである。
【図４１】特定演出保留処理のフローチャートである。
【図４２】ラウンド演出抽選処理のフローチャートである。
【図４３】特定演出シナリオ更新処理のフローチャートである。
【図４４】先読み演出処理のフローチャートである。
【図４５】保留消化演出処理のフローチャートである。
【図４６】抽選テーブルである。
【図４７】別の例の遊技盤を示す図である。
【図４８】さらに別の例の遊技盤を示す図である。
【発明を実施するための形態】
【００２４】
以下、添付の図面に基づき本発明の実施例を説明する。
図１に示す遊技機１は、遊技媒体として遊技球を用いるパチンコ遊技機であって、遊技盤２の縁に外レール３及び内レール４が略円形に配置され、前記外レール３及び内レール４によって区画された遊技領域６が前記遊技盤２上に設けられている。遊技機１の前面側には、遊技盤２の外側に装飾ランプ３５、払い出された遊技球を受けるための球受け用上皿３６、該球受け用上皿３６の満杯時に遊技球を受けるための球受け用下皿３７、効果音等を発するスピーカ３８、遊技者の発射操作に応じて遊技球を前記遊技領域６へ向けて弾発発射するための発射装置６４、遊技者による操作可能な遊技ボタンスイッチ６７が設けられている。なお、符号Ｗ１は遊技機の外枠、Ｗ２は外枠Ｗ１に取り付けられた前枠、Ｇは前枠Ｗ２に開閉可能にヒンジで取り付けられたガラス枠であり、前記遊技盤２は前枠Ｗ２に取り付けられ、前記ガラス枠Ｇを通して遊技機前方側から遊技者が遊技盤２の遊技領域６を視認可能となっている。また、前記遊技領域６には、前記遊技領域６に打ち込まれた遊技球を誘導する複数の釘（図示せず）が所要位置に立設されている。以下、遊技機１の主要な部分について説明する。
【００２５】
前記遊技領域６には、中心線上の上部から下部に向かって順に表示装置１０、振り分け装置３９、該振り分け装置３９の下方左右に左始動入賞口（始動入賞口１）４０と右始動入賞口（始動入賞口２）４１が設けられ、さらに下方にアウト口４９が設けられている。また、前記表示装置１０の下部左方には風車７６、風車７６の下方には第１入賞口５１、第２入賞口５２、第３入賞口５３が設けられている。一方、前記表示装置１０の下部右方には普通図柄変動開始用ゲート５５、右中始動入賞口（始動入賞口３）４２、その真下に大入賞口４５が設けられている。前記左始動入賞口（始動入賞口１）４０、右始動入賞口（始動入賞口２）４１、右中始動入賞口（始動入賞口３）４２、第１入賞口５１、第２入賞口５２、第３入賞口５３、大入賞口４５は、前記遊技領域６内を流下する遊技球が入賞（入球）可能な複数の入賞装置に相当する。前記の各入賞口（入賞装置）に遊技球が入賞（入球）して入賞（入球）が検出されると１入賞球の検出に対して所定個数の賞品球（遊技球）が遊技者に払い出される。前記１入賞球の検出に対する賞品球（遊技球）の払出個数は、前記入賞口（入賞装置）毎に設定されている。また、前記大入賞口４５の右方の遊技領域６の外側には、普通図柄保留数表示器４８と普通図柄表示部５０が設けられている。
【００２６】
前記表示装置１０は、識別情報を表示可能なものであって、液晶，ドットマトリックス若しくはＬＥＤ表示装置等の画像表示装置からなる。前記表示装置１０は、本発明における表示手段に相当し、また、本実施例では事前判定結果を報知する事前判定結果報知手段にも相当し、液晶表示器（ＴＦＴ−ＬＣＤモジュール）で構成されている。識別情報は、遊技者が識別可能なものであり、図柄や文字等を挙げることができる。なお、事前判定結果の報知については後述する。
【００２７】
前記表示装置１０は、特別図柄（判定図柄とすることもできる。）Ｚが変動表示可能となっている。前記表示装置１０に表示される特別図柄は、左側に位置する左特別図柄（中判定図柄）、中央に位置する中特別図柄（中判定図柄）、右側に位置する右特別図柄（右判定図柄）が、それぞれ変動表示し、所定時間変動表示した後、当否判定結果に基づき左特別図柄、中特別図柄、右特別図柄が確定判定図柄として停止表示され、停止した確定判定図柄（特別図柄の組み合わせ）で当否判定結果が表示される。前記特別図柄（左特別図柄、中特別図柄、右特別図柄）は本発明の識別情報に相当する。また、前記表示装置１０には、前記特別図柄に加えて背景画像（キャラクタ，背景，文字等を含む。）が表示されることもあり、該背景画像が特別図柄の変動開始等に起因して変動表示可能となっていてもよい。さらに、本実施例では、前記表示装置１０は、後述の判定保留記憶手段が記憶している数値データ（大当たり乱数）の数を表示する保留記憶表示手段を兼ねており、該表示装置１０の左側下部の特別図柄保留数表示部４３に、判定保留記憶手段が記憶している数値データ（大当たり乱数）の数が特別図柄保留数として表示される。図示の例では、特別図柄保留数は○の個数で表される。なお、前記保留記憶表示手段は、前記表示装置１０とは別に設けてもよい。
【００２８】
本実施例において前記表示装置１０で変動および停止表示される左、中、右特別図柄（識別情報）は、それぞれ『１，２，３，４，５，６，７，８』の８通りの図柄とされている。本実施例では、遊技の当否判定結果が大当たり（当たり）の場合には、大当たりの特別図柄組合せ、この例では『１，１，１』（いわゆる‘１’のぞろ目）や『２，２，２』（いわゆる‘２’のぞろ目）等、同一数字の組合せ）で特別図柄が停止表示され、遊技者に有利な特典を付与する大当たり遊技状態（特別遊技状態）に移行する。なお、遊技者に有利な特典は、本実施例では、遊技者による遊技球の獲得し易さ増大に設定されている。また、本実施例の大当たりはすべて確変大当たりである。すなわち、大当たりした場合には、特別遊技状態（大当たり遊技状態）の終了後、特別図柄の変動が９回行われるまで（当否判定が９回行われるまで）大当たりの確率が高確率（本実施例では１０／１００）に設定され、その後大当たりの確率が低確率（本実施例では１／１００）に設定される。さらに、本実施例では、大当たりになると、特別遊技状態（大当たり遊技状態）の終了後に前記高確率に設定されると共に、特別図柄の変動が５０回行われるまでの間、時短遊技が行われる。時短遊技では、後述の普通図柄当たり時における右中始動入賞口（始動入賞口３）４２の拡開開放時間が通常の０．５秒から１．５秒に長くなり、拡開回数も１回から３回に増える。
【００２９】
前記普通図柄保留数表示器４８は、後述の普通図柄の変動及び普通図柄に関する普通図柄判定の保留数をランプの点灯個数で表すようになっている。
前記普通図柄表示部５０は、本実施例では２つのランプで構成され、２つのランプが点滅することにより普通図柄の変動中を表す。２つのランプが所定時間変動表示（点滅）した後、一方のみが点灯した状態となることによって普通図柄外れを報知し、それに対して所定時間変動表示（点滅）した後、両方共点灯した状態となることによって普通図柄当たりを報知する。なお、前記普通図柄表示部５０をＬＥＤ表示装置等で構成し、記号或いは絵（キャラクタ）等の普通図柄を変動表示及び停止表示するようにし、停止表示した普通図柄によって普通図柄の当たり、あるいは普通図柄の外れを報知するようにしてもよい。
【００３０】
前記振り分け装置３９は、前記表示装置１０の真下に設けられ、遊技領域６を流下して振り分け装置３９に至った遊技球を、下方の左始動入賞口（始動入賞口１）４０と右始動入賞口（始動入賞口２）４１に振り分け可能な構成となっている。
前記左始動入賞口（始動入賞口１）４０と右始動入賞口（始動入賞口２）４１は、それぞれ上部が開口しており、前記振り分け装置３９によって左右に振り分けられた遊技球が上方から入賞（入球）可能に構成されている。
一方、前記右中始動入賞口（始動入賞口３）４２は、２つの可動片４２ａ，４２ｂが背面の始動入賞口用ソレノイドによって略垂直で遊技球の入賞（入球）し難い狭小開放状態（通常状態）と略Ｖ字形（逆ハの字形）の入賞し易い拡開開放状態間を変化可能に制御されている。前記右中始動入賞口（始動入賞口３）４２の拡開開放は、前記普通図柄表示部５０でランプが点滅した後、両方共点灯した状態となって普通図柄当たりが成立した時に行われる。
前記左始動入賞口（始動入賞口１）４０は本発明における第１の始動入賞口に相当し、一方、前記右始動入賞口（始動入賞口２）４１と前記右中始動入賞口（始動入賞口３）４２は本発明における第２の始動入賞口に相当する。さらに本実施例では、前記第２の始動入賞口の一つである右中始動入賞口（始動入賞口２）４１は、特別遊技及び後述の特典遊技とは異なる通常遊技中における前記可動片４２ａ，４２ｂが略垂直狭小開放状態（通常状態）の場合に、前記第１の始動入賞口（始動入賞口１）４０よりも遊技球が入球し難いように、前記可動片４２ａ，４２ｂの先端間の間隔、遊技盤上の釘（図示せず）と可動片４２ａ，４２ｂの先端との間隔、前記第１の始動入賞口（始動入賞口１）４０上方の釘の間隔（図示せず）等が設定されている。
【００３１】
また、前記遊技盤２の背面には、左始動入賞口検出スイッチ（左始動入賞口センサ）、右始動入賞口検出スイッチ（右始動入賞口センサ）及び右中始動入賞口検出スイッチ（右中始動入賞口センサ）が、各入賞球用通路にそれぞれ独立して設けられており、前記左始動入賞口（始動入賞口１）４０と右始動入賞口（始動入賞口２）４１と右中始動入賞口（始動入賞口３）４２への遊技球の入賞（入球）を検出するように構成されている。本実施例では、前記左始動入賞口（始動入賞口１）４０への入賞に基づいて特図１用の乱数（数値データ）が取得され、一方、前記右始動入賞口（始動入賞口２）４１あるいは右中始動入賞口（始動入賞口３）４２への入賞に基づいて特図２用の乱数（数値データ）が取得される。
【００３２】
また、前記左始動入賞口（始動入賞口１）４０への入賞に基づいて取得された特図１用の乱数（数値データ）と、前記右始動入賞口（始動入賞口２）４１あるいは右中始動入賞口（始動入賞口３）４２への入賞に基づいて取得された特図２用乱数（数値データ）は一旦記憶されて、特図１用の乱数（数値データ）あるいは特図２用乱数（数値データ）を用いる特別図柄の変動表示及び当否判定の実行が保留され、特別図柄の変動表示及び当否判定の実行によって、記憶乱数（数値データ）が消去されるようになっている。記憶されている乱数、本実施例では大当たり乱数（数値データ）の数、すなわち保留個数は、特別図柄保留数として前記特別図柄保留数表示部４３で表示され、特別図柄の変動表示及び当否判定の実行によって、記憶されている大当たり乱数（数値データ）を順次消去すると共に、前記特別図柄保留数を減算して特別図柄保留数表示部４３の表示個数を減らすようにしている。
【００３３】
前記特別図柄保留数は、特図１保留数と特図２保留数の合計で表される。特図１保留数は、前記第１の始動入賞口、すなわち前記左始動入賞口（始動入賞口１）４０への入賞に基づいて取得された大当たり乱数（数値データ）の記憶数、すなわち前記左始動入賞口（始動入賞口１）４０への入賞に基づいて取得された大当たり乱数（数値データ）に対する特別図柄の変動表示及び当否判定の保留数である。一方、特図２保留数は、前記第２の始動入賞口、すなわち前記右始動入賞口（始動入賞口２）４１及び右中始動入賞口（始動入賞口３）４２への入賞に基づいて取得された大当たり乱数（数値データ）の記憶数、すなわち前記右始動入賞口（始動入賞口２）４１及び前記右中始動入賞口（始動入賞口３）４２への入賞に基づいて取得された大当たり乱数（数値データ）に対する特別図柄の変動表示及び当否判定結果の保留数である。前記特図１保留数と特図２保留数の上限値（すなわち大当たりの当否判定に用いられる数値データの保留記憶可能な上限数）は、それぞれ４個とされ、特図１保留数と特図２保留数の合計からなる特別図柄保留数の上限値が８個に設定されている。
【００３４】
なお、特図１保留数が上限値となっている（すなわち最大記憶数となっている）時に前記左始動入賞口（始動入賞口１）４０へ入賞した場合、あるいは特図２保留数が上限値となっている時に前記右始動入賞口（始動入賞口２）４１あるいは右中始動入賞口（始動入賞口３）４２に入賞した場合、すなわちオーバーフローした場合の入賞は、保留数としては記憶されない無効球とされ、その無効球については乱数（数値データ）の取得、特別図柄の変動表示及び当否判定を行うことなく、入賞に対する賞品球（賞品遊技球）が所定数払い出される。
【００３５】
前記普通図柄変動開始用ゲート５５は、普通図柄変動開始用ゲート５５を通過する遊技球を、前記遊技盤２の背面に設けられた普通図柄変動開始スイッチで検出することによって前記普通図柄表示部５０で普通図柄の変動を開始させるようになっている。また、前記普通図柄の変動表示中に、前記普通図柄変動開始用ゲート５５を遊技球が通過することによって発生する普通図柄の変動を、最高４回普通図柄保留数（上限値４個）として記憶すると共に、前記普通図柄保留数表示器４８で普通図柄保留数分点灯表示し、普通図柄の変動開始により普通図柄保留数を減らし、普通図柄保留数表示器４８における表示個数（点灯個数）を減らすようになっている。また、前記第１入賞口５１、第２入賞口５２、第３入賞口５３への入賞球を検出する第１入賞口用検出スイッチ（第１入賞口センサ）、第２入賞口用検出スイッチ（第２入賞口センサ）、第３入賞口用検出スイッチ（第３入賞口センサ）が、それぞれ対応する遊技盤背面の位置に設けられている。
【００３６】
前記大入賞口４５は、前記遊技盤２の背面に設けられた大入賞口開放用ソレノイドによって開閉する開閉板４６を備えている。この大入賞口４５は、通常は開閉板４６が閉じた状態とされ、当否判定結果が大当たりの場合に実行される大当たり遊技（特別遊技）時に１５ラウンド（１５回）開放される。また、前記大入賞口４５内には、大入賞口４５に入賞した入賞球を検出する大入賞口用検出スイッチ（大入賞口センサ）が設けられている。
【００３７】
前記発射装置６４は、操作レバー６５の操作により駆動する発射モータを裏側に有し、該発射モータの駆動により遊技球を弾発発射するようになっている。前記発射装置６４により発射された発射球は、前記遊技盤面に立設された内側誘導レール４と外側誘導レール３間で構成される発射球誘導路を介して遊技領域６に誘導される。前記遊技領域６に誘導された遊技球は、転動しつつ下方へ落下し、前記各装置及び各入賞口に入賞するか、或いは何処にも入賞しなければ前記アウト口４９から遊技盤２の裏側へ排出される。
【００３８】
また、前記遊技機１の裏側には、図２に示すように、複数の制御基板や装置等が設けられている。制御基板の主なものとして、主制御基板２００、サブ制御基板２０５、表示制御基板２１０、音声制御基板２２０、払出制御基板２４０、電源基板２５０、発射制御基板２６０等がある。符号２０６は、ＲＡＭクリアスイッチ、２６５は外部端子、２８１は払出装置、２８９は球貯留タンク、２９１は球誘導樋である。
【００３９】
各制御基板には制御回路が設けられている。また、各制御基板は、単独でまたは複数まとめてケースに収納された状態で遊技機１の裏側に配置されている。主な制御基板を、図３のブロック図を用いて簡略に示す。
【００４０】
主制御基板２００は、遊技の制御を行い他の制御装置に信号を出力する主制御装置に相当し、ＣＰＵ、ＲＡＭ、ＲＯＭおよび複数のカウンタを備えたマイクロコンピュータを少なくとも備え、サブ制御基板２０５、払出制御基板２４０等と接続されている。前記ＣＰＵは制御プログラムを実行して遊技に関わる主制御を行う。前記主制御基板２００は電源基板２５０から電源供給を受けて作動する。
【００４１】
前記主制御基板２００におけるＣＰＵは、制御部，演算部，各種カウンタ、各種レジスタ，各種フラグ等を備え、演算制御を行う他、乱数（数値データ）を生成し、また制御信号等の信号をサブ制御基板２０５や払出制御基板２４０等へ出力（送信）可能に構成されている。
【００４２】
前記ＲＡＭは、前記左始動入賞口検出スイッチ、右始動入賞口検出スイッチ及び右中始動入賞口検出スイッチで始動入賞口への入賞が検出されることに基づき取得された乱数（数値データ）、特別図柄保留数及び普通図柄保留数の記憶領域、ＣＰＵで生成される各種乱数（数値データ）用の記憶領域、遊技に必要な遊技データ等の各種データを一時的に記憶する記憶領域やフラグ、ＣＰＵの作業領域を備える。前記ＲＡＭは、本発明における判定保留記憶手段にも相当する。
【００４３】
ＲＯＭは、前記ＣＰＵのための制御プログラムや制御データ、遊技設定データ、前記表示装置１０での変動表示に関する変動態様や図柄データ等が書き込まれている他、大当たり及び普通図柄当たりの判定値等が書き込まれている。遊技設定データには遊技機のスペック情報に関するデータが記憶されており、具体的にはスペックにおける大当り確率情報、特別図柄の種類などが記憶されている。
【００４４】
なお、前記主制御基板２００のＣＰＵは、遊技の当否判定を行う大当たりの当否判定手段や普通図柄当たりの判定を行う普通図柄当たり当否判定手段、数値データ更新手段、数値データ取得手段、前記表示装置１０における特別図柄の変動時間を決定する変動時間決定手段としても機能する。また、前記主制御基板２００から出力される信号には、遊技設定データに基づく遊技機の設定データ、数値データ、前記表示装置１０で特別図柄を変動表示させるための変動データ（変動コマンド）、大当たり種別に関するコマンド、普通図柄当たり判定結果データ等が含まれる。
【００４５】
また、前記主制御基板２００は、中継回路を介して種々の入賞口の検出スイッチ（センサ）類及び右中始動入賞口４２のソレノイド及び前記大入賞口４５のソレノイドと接続され、種々の入賞口における入賞検出の入力や前記右中始動入賞口４２及び前記大入賞口４５の開閉を制御する。
【００４６】
サブ制御基板２０５は、サブ制御装置に相当し、前記主制御基板２００と共に遊技の制御を行う。前記サブ制御基板２０５は、ＣＰＵ、ＲＯＭ、ＲＡＭ、複数のカウンタを備えたマイクロコンピュータと、前記主制御基板２００とを結ぶ入出力回路と、表示制御基板２１０、音声制御基板２２０やランプ中継基板とを結ぶ入出力回路を備えている。前記サブ制御基板２０５のＣＰＵは、前記主制御基板２００から出力された制御信号に従って遊技の制御を行い、本発明における第１の事前判定手段、第２の事前判定手段としても機能する。また、本実施例ではサブ制御基板２０５はランプ制御基板を兼ねている。サブ制御基板２０５は、前記主制御基板２００から出力された制御信号を受信し、受信した制御信号に基づいて、ランプ中継基板や表示制御基板２１０、音声制御基板２２０等へ制御信号を出力している。前記主制御基板２００からの制御信号には、前記遊技設定データに基づく設定信号、前記表示装置１０での当否判定結果の演出表示に対する制御信号（変動コマンド等）や前記装飾ランプ３５に対する制御信号、前記スピーカ３８に対する制御信号等が含まれ、その制御信号の内容に合わせて各装置の制御を行っている。また、前記サブ制御基板２０５のＲＯＭは制御用のプログラムやデータ定数等が記憶されている。また前記ＲＡＭは、各種データの記憶領域とＣＰＵによる作業領域、事前判定数に関する記憶領域を有し、事前判定保留記憶手段としても機能する。前記ランプ中継基板には装飾ランプ３５等のランプ類が接続され、前記サブ制御基板２０５からランプ中継基板に送信された制御信号によって、装飾ランプ３５等の作動を制御する。前記サブ制御基板２０５は電源基板２５０から電源供給を受けて作動する。
【００４７】
表示制御基板２１０は、ＣＰＵ、ＲＯＭ、ＲＡＭを備えたマイクロコンピュータと、前記サブ制御基板２０５に接続される入力回路と、前記表示装置１０に接続される出力回路等で構成され、前記サブ制御基板２０５から出力される制御信号に基づいて、前記表示装置１０における表示の制御を行う。前記表示制御基板２１０のＲＯＭには制御用のプログラムが記憶されている。前記表示制御基板２１０は、前記サブ制御基板２０５からの制御信号に基づきＣＰＵがＲＯＭから所定の表示制御データを読み出し、ＲＡＭの記憶領域で制御用データを生成してＶＤＰ（図示せず）に出力する。ＶＤＰは、ＣＰＵからの指令に基づいてＲＯＭから必要なデータを読み出し、表示画像のマップデータを作成し、ＶＲＡＭに格納する。ＶＲＡＭに格納記憶された画像データは、出力回路に備えるＤ／Ａ変換回路にてＲＧＢ信号に変換されて表示装置１０に出力される。
【００４８】
音声制御基板２２０は、前記サブ制御基板２０５から出力される信号により音声信号を合成し、アンプに出力する。アンプは音声信号を増幅してスピーカ３８に出力する。
【００４９】
払出制御基板２４０は、払出装置２８１と接続されており、前記主制御基板（第１の制御装置）２００から出力される制御信号を受信して前記払出装置２８１を制御する。前記払出制御基板２４０のＲＯＭにはＣＰＵを制御するためのプログラムが記憶されている。
【００５０】
電源基板２５０は、ＡＣ２４Ｖが外部から入力され、入力されたＡＣ２４ＶをＤＣ３４Ｖに変換し、変換されたＤＣ３４Ｖを各レギュレータでＤＣ１２Ｖ、ＤＣ５Ｖに変換して各基板に供給している。
発射制御基板２６０は、前記発射装置６４における発射モータの制御を行う。
【００５１】
遊技機１における遊技について簡略に説明する。遊技機１においては、前記遊技領域６へ向けて発射装置６４により発射された遊技球が、種々の入賞装置に入賞して入賞が検出されると、入賞装置毎に１入賞球の検出に対して設定されている払出個数の遊技球が賞品球として球受け用上皿３６に払い出される。なお、球受け用上皿３６に払い出された遊技球は、球受け用上皿３６が満杯の場合、球受け用下皿３７へ誘導される。
【００５２】
また、遊技領域６へ向けて発射された遊技球が、前記普通図柄変動開始用ゲート５５を通過すると、後述の普通図柄乱数が取得されて一旦記憶され、前記普通図柄保留数表示器４８で普通図柄保留数が点灯表示される。その後、記憶されている普通図柄乱数を読み出して普通図柄の当たり判定が行われ、前記普通図柄表示部５０で普通図柄が変動を開始し、所定時間変動後に停止する。その際、普通図柄の当たり判定結果が当たりの場合には、前記普通図柄表示部５０のランプが２つ点灯した状態となり、前記右中始動入賞口４２の２つの可動片４２ａ，４２ｂが背面の右中始動入賞口用ソレノイドによって、それまでの略垂直で入賞し難い狭小開放状態（通常状態）から略Ｖ字形（逆ハの字形）の入賞し易い拡開開放状態に変化し、遊技球が入賞し易くなる。そして、前記右中始動入賞口４２に遊技球が入賞して検出されると、１入賞球の検出に対して設定されている払出個数の賞品球が払い出される。なお、普通図柄の変動及び判定が行われた普通図柄乱数は記憶から削除され、前記普通図柄表示部５０における普通図柄保留数の表示個数が減らされる。
【００５３】
また、前記遊技領域６へ向けて発射された遊技球が、前記左始動入賞口（始動入賞口１）４０、右始動入賞口（始動入賞口２）４１あるいは右中始動入賞口（始動入賞口３）４２に遊技球が入賞して検出されると前記賞品球が払い出されると共に、後述の大当たり乱数及び大当たり図柄乱数等の数値データが保留上限値（最大値）まで取得されて、前記主制御基板２００のＲＡＭに一旦記憶（格納）されて当否判定及び前記表示装置１０における変動表示が保留され、前記表示装置１０の特別図柄保留数表示部４３で特別図柄保留数が表示される。その後、記憶されている大当たり乱数（数値データ）を読み出して大当たりの当否判定が行われると共に、前記表示装置１０で特別図柄が変動を開始し、所定時間変動後に停止する。
【００５４】
前記大当たりの当否判定結果が当たり（大当たり）の場合には、前記表示装置１０に大当たり図柄（大当たり判定図柄）、この例では『１，１，１』（いわゆる‘１’のぞろ目）や『２，２，２』（いわゆる‘２’のぞろ目）等、同一数字の組合せ）で停止表示され、特別遊技（大当たり遊技）状態に移行する。前記特別遊技（大当たり遊技）状態になると、前記大入賞口４５の開閉板４６が開いて遊技領域６の表面を落下してくる遊技球を受け止め易くして、大入賞口４５へ入賞可能にする。前記大入賞口４５への入賞が検出されると、１入賞球の検出に対して設定されている払出個数の賞品球が払い出される。前記開閉板４６は、所定時間（例えば２９．５秒）経過後、或いは入賞球数が所定個数（例えば１０個）となった時点で閉じるようにされている。また、前記大入賞口４５は、前記開閉板４６の開放を所定ラウンド数（例えば１５ラウンド）繰り返すようになっている。
【００５５】
なお、大当たりした場合には、前記表示装置１０に『１，１，１』、『２，２，２』等、数字のぞろ目からなる大当たり図柄が表示され、前記特別遊技状態の終了後、通常遊技よりも遊技者に有利な特典を与える特典遊技が実行される。遊技者に有利な特典は、本実施例では賞品球を獲得し易くすることに設定されている。特典遊技は、前記特別遊技状態の終了後、特別図柄の変動が９回行われるまで（大当たりの当否判定が９回行われるまで）大当たりの確率が高確率（本実施例では１０／１００）に設定にされ、特別図柄の変動が９回行われた以降は大当たりの確率が低確率（本実施例では１／１００）に設定されるとと共に、特別図柄の変動が５０回行われるまで（大当たりの当否判定が５０回行われるまで）、時短遊技状態となり、普通図柄当たりの場合に行われる前記右中始動入賞口（始動入賞口３）４２の拡開開放が通常の０．５秒から１．５秒に長くなり、拡開回数が１回から３回に増える。それに対し、前記大当たりの当否判定結果が外れの場合には、前記表示装置１０に外れ図柄、この例ではぞろ目とは異なる特別図柄の組み合わせで停止表示され、前記特別遊技状態（大当たり遊技状態）とはならない。このように、特典遊技の時短遊技状態になると、普通図柄当たりの場合に行われる前記右中始動入賞口（始動入賞口３）４２の拡開開放が通常遊技の０．５秒から１．５秒に長くなり、拡開回数が１回から３回に増えるため、前記第１の始動入賞口である左始動入賞口（始動入賞口１）４０よりも、第２の始動入賞口である右中始動入賞口（始動入賞口３）４２に遊技球が入球し易くなる。
【００５６】
また、本実施例では、予め設定されたタイミングで事前判定手段が実行される。前記事前判定が実行されるタイミングには、第１の事前判定手段の実行タイミングと、第２の事前判定手段の実行タイミングとがある。
第１の事前判定手段は、前記主制御基板２００のＲＡＭ（判定保留記憶手段）における保留記憶可能な上限数（実施例では８個）内の予め定めた範囲の第１保留記憶群内（実施例では最大４個の保留記憶）に記憶されている大当たり乱数（数値データ）に基づく特別図柄の変動表示及び大当たりの当否判定の実行前に、当該大当たり乱数（数値データ）が前記当否判定手段によって当たりと判定される数値データの少なくとも一つか否かを判定し、該事前判定結果を前記表示装置１０で報知する第１の事前判定演出を行うものである。
第２の事前判定手段は、前記主制御基板２００のＲＡＭ（判定保留記憶手段）における保留記憶可能な上限数（実施例では８個）内で第１保留記憶群とは別に予め定めた範囲の第２保留記憶群内（実施例では最大４個の保留記憶）に記憶されている大当たり乱数（数値データ）に基づく特別図柄の変動表示及び大当たりの当否判定の実行前に、当該大当たり乱数（数値データ）が前記当否判定手段によって当たりと判定される数値データの少なくとも一つか否かを判定し、該事前判定結果を前記表示装置１０で報知する第２の事前判定演出を行うものである。
【００５７】
第１保留記憶群は、本実施例では、前記第１の事前判定時に前記主制御基板２００のＲＡＭ（判定保留記憶手段）における保留記憶領域で、消化順序１〜４までの記憶位置に記憶されている保留をいう。
一方、第２保留記憶群は、本実施例では、前記主制御基板２００のＲＡＭ（判定保留記憶手段）において、前記第１の事前判定で事前判定される保留記憶を含めて消化順序６〜９となる記憶位置に記憶されている保留をいう。すなわち、第１の保留記憶群に記憶されている保留記憶４個に対して第１の事前判定が行われる場合、及び第１の保留記憶群に記憶されている保留記憶４個未満に対して第１の事前判定が行われる場合の何れにおいても、第２の保留記憶群は、第１の事前判定が行われる保留記憶を含めて６個目〜９個目となる。
従って、本実施例では、第１の事前判定演出と第２の事前判定演出が、第１の事前判定時に事前判定が行われた第１保留記憶群に関する保留分に相当する特別図柄（識別情報）の変動表示を間に挟んで行われることになり、新しい遊技性を持った事前判定の演出を行うことが可能となる。
【００５８】
第１の事前判定手段の実行タイミングは、本実施例では、大当たり遊技実行時のラウンド中（特別遊技時に大入賞口４５の開閉板４６の開放が繰り返されている間）に設定されている。
一方、第２の事前判定手段の実行タイミングは、前記第１の事前判定手段によって事前判定された第１保留記憶群の大当たり乱数（数値データ）に基づく特別図柄の変動表示が終了した後の大当たり乱数（数値データ）に基づく特別図柄の変動時間内に設定され、本実施例では、第１の事前判定が行われた特別遊技終了（ラウンド終了）後から特別図柄の変動が５回目の変動時間内に設定されている。すなわち、本実施例では、特別遊技のラウンド中に第１の事前判定手段が第１保留記憶群の上限４個分の大当たり乱数（数値データ）に対して実行され、特別遊技の終了（ラウンドの終了）後には第１の事前判定を行った上限４個分の大当たり乱数（数値データ）に基づく特別図柄（識別情報）の変動表示（最大４回）が行われると共に、第１の事前判定を行った上限４個分の大当たり乱数（数値データ）に基づく特別図柄（識別情報）の変動表示（最大４回）が終了した後となる、前記特別遊技の終了（ラウンドの終了）後５回目の特別図柄の変動により第２の事前判定手段が実行されることになる。従って、本実施例では、前記第１保留記憶群に記憶された保留記憶の上限数（本実施例では４個）の次の保留記憶（本実施例では５個目の特別図柄の変動時間内）によって、前記第２の事前判定手段が実行される。
【００５９】
大当たり遊技実行時のラウンド中（第１の事前判定手段の実行タイミング）になると、第１の事前判定演出（本実施例ではスロットチャンス演出）が開始され、図４に示すように前記表示装置１０に「スロットチャンス」の文字が表示される。次に図５に示すように前記表示装置１０には左図柄Ｋ１、中図柄Ｋ２、右図柄Ｋ３のスロット図柄が変動開始すると共に、「ボタンを押してスロットを止めてください」と表示され、前記遊技ボタンスイッチ６７の押下が促される。遊技者が前記遊技ボタンスイッチ６７を１回押下すると、図６のように左図柄Ｋ１が停止表示され、さらに前記遊技ボタンスイッチ６７を１回押下すると、図７のように中図柄Ｋ２が停止表示され、さらに前記遊技ボタンスイッチ６７を１回押下すると、図８のように右図柄Ｋ３が停止表示され、停止した左図柄Ｋ１と中図柄Ｋ２と右図柄Ｋ３が同一の図柄とならない外れの場合には「残念・・・」と表示されて第１事前判定結果が報知され、一方、図９のように停止した左図柄Ｋ１と中図柄Ｋ２と右図柄Ｋ３が同一の図柄となると「おめでとう」と表示されて第１事前判定結果が報知される。なお、第１の事前判定演出中、前記特別図柄Ｚは、第１の事前判定演出を邪魔しない位置、図示の場合には表示装置１０の右下位置に停止した状態で表示される。
【００６０】
前記左図柄Ｋ１と中図柄Ｋ２と右図柄Ｋ３が異なる図柄で停止表示されることにより、事前判定を行った最大４個の保留の中に、その後の当否判定実行によって当たりと判定される数値データと一致する数定データが存在しない、すなわち、その後の当否判定実行により大当たりとなる保留が全く存在しないことが示唆される。
一方、前記左図柄Ｋ１と中図柄Ｋ２と右図柄Ｋ３が同一の図柄で停止表示されることにより、事前判定を行った最大４個の保留の中に、その後の当否判定実行によって当たりと判定される数値データと一致する数定データが存在する、すなわち、その後の当否判定実行により大当たりとなる保留があることが示唆される。さらに、同一の図柄で停止する図柄には、青、緑、赤、金の４種類の色があり、揃った図柄の色によって、第１の事前判定を行った保留に含まれる大当たりの個数に対する遊技者の期待感を異ならせるように構成されている。
【００６１】
本実施例では、第１の事前判定を行った保留の数値データが大当たりとなる個数に応じて、スロットの停止表示される図柄の色に対する割合（停止表示率）が設定されている。青については大当たりの個数が１個の場合に最も停止表示されやすく（停止表示率が高く）、緑については大当たりの個数が２個の場合に最も停止表示されやすく、赤については大当たりの個数が４個の場合に最も停止表示されやすく、金については大当たりの個数が４個の場合に最も停止表示されやすくなっている。また、赤については、大当たりの個数が３個の場合にも停止表示されやすくなっている。そのため、遊技者は、揃って停止した図柄の色が青→緑→赤→金の順に、保留に対してより多くの大当たり個数が存在する期待感が（期待度）高くなる。
【００６２】
前記スロットの図柄の停止表示色は、‘０’〜‘９９’の事前判定結果乱数を有する事前判定カウンタを使用し、第１の事前判定手段の実行時に取得した事前判定結果乱数を用いる抽選によって決定される。前記事前判定カウンタはサブ制御基板２０５に設けられ、後述の乱数シード更新処理（Ｓ２０６）ごとにで１加算され、‘９９’に至ると再び‘０’に戻って加算が繰り返される。図４６は、停止して揃う図柄の色を抽選する際に、大当たり個数に応じて使用される抽選テーブル０〜４である。各テーブルには事前判定結果乱数値に、図柄の色が設定されている。すなわち、大当たり個数０の時に使用される抽選テーブル０には、‘０’〜‘９９’の乱数値に図柄が揃わない状態が設定され、大当たり個数１の時に使用される抽選テーブル１には、‘０’〜‘６９’の乱数値（停止表示率７０％）に青で揃う状態が設定され、‘７０’〜‘９９’の乱数値（停止表示率３０％）に緑で揃う状態が設定されている。大当たりの個数が２の時に使用される抽選テーブル２には、‘０’〜‘３９’の乱数値（停止表示率４０％）に青で揃う状態が設定され、‘４０’〜‘９４’の乱数値（停止表示率５５％）に緑で揃う状態が設定され、‘９５’〜‘９８’の乱数値（停止表示率４％）に赤で揃う状態が設定され、‘９９’の乱数値（停止表示率１％）に金で揃う状態が設定されている。また、大当たりの個数が３の時に使用される抽選テーブル３には、‘０’〜‘１４’の乱数値（停止表示率１５％）に青で揃う状態が設定され、‘１５’〜‘５９’の乱数値（停止表示率４５％）に緑で揃う状態が設定され、‘６０’〜‘９４’の乱数値（停止表示率３５％）に赤で揃う状態が設定され、‘９５’〜‘９９’の乱数値（停止表示率５％）に金で揃う状態が設定されている。大当たりの個数が４の時に使用される抽選テーブル４には、‘０’〜‘２９’の乱数値（停止表示率３０％）に緑で揃う状態が設定され、‘３０’〜‘８４’の乱数値（停止表示率５５％）に赤で揃う状態が設定され、
‘８５’〜‘９９’の乱数値（停止表示率１５％）に金で揃う状態が設定されている。
【００６３】
前記第１の事前判定が行われた特別遊技終了（ラウンド終了）後から特別図柄の変動が５回目（第２の事前判定手段の実行タイミング）になると、第２の事前判定演出としての特定演出が開始される。
特定演出（第２の事前判定演出）が開始されると、図１０に示すように前記表示装置１０に「天使チャンス」の文字が表示される。次に図１１に示すように第２の始動入賞口である前記右中始動入賞口（始動入賞口３）４２への入賞を狙って遊技球を発射するように促す。そして、前記「右打ちしてメモリーを溜めてください」と表示装置１０に表示された後、「右打ちしてメモリーを溜めてください」と表示されている時間内に前記右中始動入賞口（始動入賞口３）４２へ入賞した入賞数が、図１２に示すように事前判定数（第２の事前判定数）５１として表示される。事前判定数（第２の事前判定数）は、第２の事前判定が行われる保留記憶数の数（第２の保留記憶群）である。なお、本実施例では、図１１に示すように、予め設定されている事前判定数（第２の事前判定数）５１の上限数（本実施例では上限数４）の個数分、○の図形５１ａが示され、「右打ちしてメモリーを溜めてください」と表示されている時間内に、前記第２の始動入賞口である右中始動入賞口（始動入賞口３）４２へ入賞すると、入賞毎に○に着色が行われ、着色された○の個数で第２の事前判定が行われる事前判定数（第２の事前判定数）が表示される。図１２の例では、「右打ちしてメモリーを溜めてください」と表示されている時間内に３個入賞した場合の表示例であり、青色等に着色された有色の○の個数で入賞数、すなわち事前判定数５１が示されている。また、本実施例では予め表示されていた○に始動入賞口への入賞ごとに着色される構成であるが、始動入賞口への入賞前には何も表示させず、入賞ごとに入賞したことを表す図形を描写していく構成にしても良い。
【００６４】
前記事前判定数は、特定演出（第２の事前判定演出）開始時に前記主制御基板２００のＲＡＭに記憶されていた特別図柄保留数に関わらず、特定演出（第２の事前判定演出）開始後、「右打ちしてメモリーを溜めてください」と表示されている時間内に前記右中始動入賞口（始動入賞口３）４２へ入賞した分までの保留に対して事前判定を行う数であり、実際に前記主制御基板２００のＲＡＭに記憶されている特別図柄保留数とは異なる場合がある。事前判定数は、実際の特別図柄保留数とは異なる演出用疑似保留数に相当する。具体的には、実際の特別図柄保留数（すなわち、判定保留記憶手段が記憶している大当たり乱数（数値データ）の数）は、各始動入賞口への入賞に基づいて上限数となるまで加算され、特別図柄の変動及び当否判定の実行によって減算されるが、特定演出（第２の事前判定演出）の際に前記表示装置１０に表示される事前判定数（演出用疑似保留数）は、実際の特別図柄保留数に関係なく、特定演出（第２の事前判定演出）開始時点では１１のように０からスタートし、その後に右中始動入賞口（始動入賞口３）４２に入賞する毎に事前判定数の上限（実施例では事前判定数の上限値は４個）まで加算される。従って、図１１に示す特定演出（第２の事前判定演出）の開始時点において、実際の特別図柄保留数が１以上有る場合には、図１２のように、前記特別図柄保留数表示部４３に表示される特別図柄保留数の値と、前記表示装置１０に表示される事前判定数（演出用疑似保留数）５１とは異なる値となる。なお、前記事前判定数の表示態様は、特別図柄保留数の表示態様とは異なる表示態様とされ、遊技者が両者を区別可能にされている。例えば図１２のように、事前判定数５１は大きな有色の○の個数で表示装置１０の中央に示され、一方、前記特別図柄保留数表示部４３に表示される実際の特別図柄保留数は、事前判定数５１とは異なる色からなる□の個数、あるいは数字等（図示せず）で表示される、または、特定演出（第２の事前判定演出）実行時には実際の特別図柄保留数は表示させないなどである。
【００６５】
前記表示装置１０では、第２の事前判定結果が表示（報知）されるまでの間、演出が行われる。図１３では「連打でメーターを溜めてください」との語句と共に、四角形の枠とＰＵＳＨボタンの絵が表示され、遊技者に前記遊技ボタンスイッチ６７の連打が促される。遊技者が前記遊技ボタンスイッチ６７を連打すると、前記四角形の内部をバーが徐々に伸びていく。
次に、図１４に示すように、前記表示装置１０に事前判定結果が表示される。図示の例では前記表示装置１０の中央に「Ｖ」の文字が大きく表示されて、その事前判定を行った当該保留に対する事前判定結果が当たりであることを示し、事前判定を行った当該保留がその後の当否判定実行により大当たりとなることを示唆する。一方、「残念」と表示されると、事前判定を行った当該保留がその後の当否判定実行により外れとなることを示唆する。その後、図１５に示すように、事前判定数５１が１つ減算されて表示され、その後次の保留に関する事前判定が同様に実行される。なお、この特定演出（第２の事前判定演出）は、特別図柄（識別情報）の１入賞に対する変動内で行われているため、事前判定数５１が減算されても特別図柄保留数は減算されない。
【００６６】
前記特定演出（第２の事前判定演出）中における前記特別図柄の変動表示は、本実施例では、前記特定演出（第２の事前判定演出）の邪魔にならないように表示装置１０の下部等の位置へ移動し、かつ縮小して行われる。また、本実施例では、特定演出（第２の事前判定演出）の演出時間は、特別図柄の変動表示に関して決定した少なくとも１つの特別図柄変動時間に決定される。
【００６７】
前記遊技機１の制御処理に関して説明する。前記主制御基板２００に設けられる乱数用カウンタ（数値データ用カウンタ）として、大当たり乱数用カウンタ、大当たり図柄乱数用カウンタ、リーチ乱数用カウンタ、特別図柄データ乱数用カウンタ、変動態様乱数用カウンタ、普通図柄乱数用カウンタ等がある。
【００６８】
大当たり乱数用カウンタは、大当たりの当否判定手段（本発明の当否判定手段）による当否判定（遊技の当否判定）に用いられ、‘０’〜‘６９９’の大当たり乱数を有する。前記大当たり乱数は、遊技機の電源投入時に
‘０’から始まって後述の普通図柄・特別図柄主要乱数更新処理ごとに１加算され、‘６９９’に至ると次には‘０’にされて再び前記加算を繰り返すようになっている。大当たり乱数は、前記左始動入賞口（始動入賞口１）４０、右始動入賞口（始動入賞口２）４１、及び右中始動入賞口（始動入賞口３）４２への入賞に基づいて取得され、その取得値が前記低確率状態時には大当たり成立数値として設定されている‘３９１’〜‘３９７’の何れかと一致すれば大当たりとなり、一方高確率状態時には、大当たり成立数値として設定されている‘３９１’〜‘４６０’の何れかと一致すれば大当たりとなる。
【００６９】
大当たり図柄乱数用カウンタは、大当たりの当否判定結果が当たりの場合に、前記表示装置１０に確定停止して揃う大当たり図柄組合せを決定するものであり、‘０’〜‘７’の大当たり図柄乱数を有する。この大当たり図柄乱数は、電源投入時に‘０’から始まって後述の普通図柄・特別図柄主要乱数更新処理ごとに１加算され、‘７’に至ると次には‘０’にされて再び前記加算を繰り返すようになっている。大当たり図柄乱数は、前記左始動入賞口（始動入賞口１）４０、右始動入賞口（始動入賞口２）４１、及び右中始動入賞口（始動入賞口３）４２への入賞に基づいて取得される。前記大当たり図柄乱数には、大当たりの当否判定結果が当たりの場合に、前記表示装置１０で停止表示される大当たり図柄組合せが割り当てられている。本実施例では、‘０’の場合には大当たり図柄組合せが‘１，１，１’となる１のぞろ目（全図柄同一）、‘１’の場合には‘２，２，２’となる２のぞろ目、‘２’の場合には‘３，３，３’となる３のぞろ目、‘３’の場合には‘４，４，４’となる４のぞろ目、‘４’の場合には‘５，５，５’となる５のぞろ目、‘５’の場合には‘６，６，６’となる６のぞろ目、‘６’の場合には‘７，７，７’となる７のぞろ目、‘７’の場合には‘８，８，８’となる８のぞろ目からなる大当たり図柄組合せが割り当てられている。
【００７０】
リーチ乱数用カウンタは、前記大当たり乱数による大当たりの当否判定結果が外れとなる場合において、リーチ状態を経るか否かを決めるリーチ有無決定用のものであり、‘０’〜‘１２６’のリーチ乱数からなる。本実施例におけるリーチ状態は、前記表示装置１０で変動停止表示される左特別図柄、中特別図柄及び右特別図柄のうち、最後に停止表示される特別図柄（例えば中特別図柄）を除いて他の特別図柄（例えば左特別図柄と右特別図柄）が同一となる状態（最終停止図柄を除いて大当たりの特別図柄組合せと等しくなる状態であり、最終的に大当たりの特別図柄組合せとなる場合と外れの特別図柄組合せとなる場合が含まれる状態）をいう。リーチ乱数は、遊技機１の電源投入時に、‘０’から始まり、後述の普通図柄・特別図柄主要乱数更新処理ごとに１ずつ加算され、数値が‘１２６’に至ると、次に‘０’にされて再び前記加算を繰り返すようになっている。リーチ乱数は、前記左始動入賞口（始動入賞口１）４０、右始動入賞口（始動入賞口２）４１、及び右中始動入賞口（始動入賞口３）４２への入賞に基づいて取得され、当否判定結果が外れの場合に、その数値が予め決定されているリーチ成立数値と対比されてリーチ有無が判断される。本実施例ではリーチ成立数値は、‘５’，‘１７’，‘２８’，‘４０’，‘５１’，‘６３’，‘７４’，‘８６’，‘９７’，‘１０９’，‘１２０’に設定されている。
【００７１】
特別図柄データ乱数用カウンタは、前記大当たり乱数による大当たり判定結果が外れとなる場合において、前記表示装置１０に停止表示する外れの特別図柄組合せの決定に用いられるものであり、前記表示装置１０に停止表示する左特別図柄を決定する特別図柄データ１の乱数用カウンタと、中特別図柄を決定する特別図柄データ２の乱数用カウンタと、右特別図柄を決定する特別図柄データ３の乱数用カウンタとより構成され、各特別図柄データ乱数用カウンタは、‘０’〜‘７’の乱数からなる。
【００７２】
前記特別図柄データ１の乱数は、電源投入時に、‘０’から始まって後述の普通図柄・特別図柄主要乱数更新処理ごとに ‘１’ずつ加算され、‘７’に至ると、次に‘０’に書き換えられて再び前記加算が繰り返される。また、前記特別図柄データ２の乱数は、電源投入時に‘０’から始まって、前記特別図柄データ１の乱数が‘０’に書き換えられる際に‘１’ずつ加算され、‘７’に至ると、次に‘０’に書き換えられて再び前記加算が繰り返される。さらに、前記特別図柄データ３の乱数は、電源投入時に‘０’から始まって、前記特別図柄データ２の乱数が‘０’に書き換えられる際に‘１’ずつ加算され、‘７’に至ると、次に‘０’に書き換えられて再び前記加算が繰り返される。これによって、特別図柄データ１〜３の乱数範囲が同一であっても、当該特別図柄データ１〜３の乱数が同期（同一の組合せで加算）するのを避けることができる。
【００７３】
前記特別図柄データ１〜３の各乱数は‘０’の場合には１、‘１’の場合には２、‘２’の場合には３というように、当否判定結果の外れ時に前記表示装置１０に停止表示される左特別図柄、中特別図柄、右特別図柄からなる判定図柄が割り当てられている。前記特別図柄データ１〜３の乱数は、前記左始動入賞口（始動入賞口１）４０、右始動入賞口（始動入賞口２）４１、及び右中始動入賞口（始動入賞口３）４２への入賞に基づいて取得され、取得した特別図柄データ１〜３の乱数の組合せによって、外れ時に前記表示装置１０に表示される左特別図柄、中特別図柄、右特別図柄からなる判定図柄が定まる。
【００７４】
変動態様乱数用カウンタは、前記表示装置１０における特別図柄の変動態様を変動態様テーブルから選択する際に用いられるものであり、‘０’〜‘１９８’の変動態様乱数を備える。この変動態様乱数は、遊技機１の電源投入時、‘０’から始まり、後述の普通図柄・特別図柄主要乱数更新処理ごとに１ずつ加算され、数値が‘１９８’に至ると、次に‘０’にされて再び前記加算を繰り返すようになっている。変動態様乱数は、前記左始動入賞口（始動入賞口１）４０、右始動入賞口（始動入賞口２）４１、及び右中始動入賞口（始動入賞口３）４２への入賞に基づいて取得される。
【００７５】
ここで変動態様テーブル及び変動態様について説明する。変動態様テーブルは、前記表示装置１０に表示する特別図柄の変動態様の複数で構成されている。変動態様テーブルからの変動態様選択は、当否判定結果が当たりか外れか、確変中か否か、リーチ有りか無しかに応じて変動態様乱数に基づいて行われる。本実施例では通常（低確率）遊技状態時に選択される変動態様１〜９と、確変（高確率）遊技状態時に選択される変動態様１０〜１９、特定演出当たり変動態様、０．６Ｓ当たり変動態様、特定演出ハズレ変動態様、０．６Ｓハズレ変動態様で構成されている。さらに、通常（低確率）遊技状態時に選択される変動態様１〜９は、遊技の当否判定結果が当たり（大当たり）の場合に選択される当たり変動態様１〜２と、外れリーチ（リーチ後に外れとなるリーチ）時に選択されるリーチハズレ変動態様３〜６と、リーチを経ることなく外れとなるハズレ変動態様７〜９に分かれている。一方、確変（高確率）遊技状態時に選択される変動態様１０〜１９は、遊技の当否判定結果が当たり（大当たり）の場合に選択される当たり変動態様１０〜１２と、外れリーチ（リーチ後に外れとなるリーチ）時に選択されるリーチハズレ変動態様１３〜１６と、リーチを経ることなく外れとなるハズレ変動態様１７〜１９に分かれている。特定演出当たり変動態様、特定演出ハズレ変動態様は、特定演出（第２の事前判定演出）が行われる際の変動態様であり、特別遊技状態終了後、特別図柄の変動が５回目に選択される。また、０．６Ｓ当たり変動態様、０．６Ｓハズレ変動態様は後述する特定演出後に行われる特別図柄の変動停止による当否判定結果の表示を示す。
【００７６】
各変動態様には特別図柄（識別情報）の変動時間が設定されている。本実施例では、特定演出当たり変動態様、０．６Ｓ当たり変動態様、特定演出ハズレ変動態様及び０．６Ｓハズレ変動態様以外の変動態様の変動時間は、特別図柄（識別情報）の変動開始後に前記発射装置６４により遊技領域６へ発射された遊技球が前記左始動入賞口４０、右始動入賞口４１、右中始動入賞口４２に到達する時間よりも短い値とされている。このように変動時間を設定することによって、前記第１の事前判定手段によって事前判定された第１保留記憶群の数値データに基づく特別図柄（識別情報）の各々の変動時間を、特別図柄の変動開始後に前記発射装置６４により遊技領域６へ発射された遊技球が前記左始動入賞口４０、右始動入賞口４１、右中始動入賞口４２に到達する以前に終了する時間とすることができ、このような短い時間に変動時間を設定することで、早く保留を消化させて次の演出（第２の事前判定演出）に迅速に移行することができる。つまり、第１の事前判定演出によって既に当否判定結果が示唆（報知）されている保留に関する変動が短い時間で行われることになるため、特別遊技終了後すぐに第２の事前判定演出を行う一連の演出の流れを実現することで、変動時間が長くなることによる演出の冗長感を抑制でき、遊技者に特別遊技終了後に次の演出（第２の事前判定演出）を早く見せることができるので趣向性を向上させることが可能となる。
【００７７】
また、前記特定演出当たり変動態様と特定演出ハズレ変動態様の変動時間は、特別図柄（識別情報）の変動開始後に前記発射装置６４により遊技領域６へ発射された遊技球の複数個が、前記左始動入賞口４０、右始動入賞口４１、右中始動入賞口４２の少なくとも一つに到達可能な時間に設定されている。このように変動時間を設定することによって、第２の事前判定手段が実行される際の変動態様の変動時間を、特別図柄（識別情報）の変動開始後に前記発射装置６４により遊技領域６へ発射された遊技球の複数個が、前記左始動入賞口４０、右始動入賞口４１、右中始動入賞口４２の少なくとも一つに到達可能な時間とすることができ、１つの演出内で保留を溜めて、その溜めた保留を演出に用いる構成を実現できる。
【００７８】
各変動態様には変動態様乱数が割り当てられており、取得した変動態様乱数と対応する変動態様が、当否判定結果が当たりか外れか、通常遊技状態中か確変遊技状態中か、リーチの有無に応じて選択される。選択された変動態様は、前記主制御基板２００から変動コマンドとして前記サブ制御基板２０５へ出力される。  
【００７９】
取得された大当たり乱数、大当たり図柄乱数、リーチ乱数、特別図柄データ乱数、変動態様乱数については、前記左始動入賞口（始動入賞口１）４０の入賞に基づいて取得された乱数（数値データ）に関する特図１保留としてそれぞれ最大４個、また、前記右始動入賞口（始動入賞口２）４１及び右中始動入賞口（始動入賞口３）４２への入賞に基づいて取得された乱数（数値データ）に関する特図２保留としてそれぞれ最大４個、前記主制御基板２００のＲＡＭ（判定保留記憶手段）における保留記憶領域に格納され、順次使用される。
【００８０】
普通図柄乱数用カウンタは、普通図柄当たりを判定する普通図柄乱数を有する。普通図柄乱数用カウンタにおける普通図柄乱数は、遊技機１の電源投入時に、‘０’から始まって後述の普通図柄・特別図柄主要乱数更新処理ごとに
‘１’ずつ加算され、‘９’に至ると、次に‘０’に書き換えられて再び前記加算が繰り返される。この普通図柄乱数は、前記普通図柄変動開始用ゲート５５を通過した遊技球を前記普通図柄変動開始スイッチで検出するごとに取得され、最大４個まで前記主制御基板２００のＲＡＭの普通図柄乱数記憶領域に格納されて順次普通図柄の判定に使用される。
【００８１】
本実施例では、普通図柄当たりの当たり確率は１／２となっており、具体的には、前記普通図柄乱数の取得乱数が奇数である場合、普通図柄当たりになり、前記右中始動入賞口（始動入賞口３）４２の拡開開放を行うようになっている。また、前記普通図柄乱数の取得乱数がその他の場合には普通図柄当たりとならず、前記右中始動入賞口（始動入賞口３）４２が前記入賞し難い狭小開放状態のままとされる。
【００８２】
前記主制御基板２００による制御処理について説明する。まず、図１６のフローチャートに示すメイン処理Ｍが行われる。
メイン処理Ｍでは、初期設定処理（Ｓ１０）、割り込み禁止処理（Ｓ２０）、普通図柄・特別図柄主要乱数更新処理（Ｓ３０）、割り込み許可処理（Ｓ４０）が順に行われる。
【００８３】
初期設定処理（Ｓ１０）では、スタックの設定、割り込み時間の設定、ＣＰＵの設定、ＳＩＯ、ＰＩＯ、ＣＴＣの設定等が行われる。メイン処理Ｍは割り込み時間（４ｍｓ）ごとに繰り返し行われるが、初期設定処理（Ｓ１０）については、電源投入時及びリセット時のみに必要な処理であり、最初の１巡目のみに実行され、その後は実行されないが、周知であるので詳細は省略する。
【００８４】
割り込み禁止処理（Ｓ２０）では、４ｍｓｅｃごとに割り込み処理（Ｓ１００）が入ってきても、割り込み許可となるまで、割り込みを禁止する。
普通図柄・特別図柄主要乱数更新処理（Ｓ３０）は、本発明における数値データ更新処理に相当し、種々の乱数（数値データ）が普通図柄・特別図柄主要乱数更新処理（Ｓ３０）ごとに１加算され、前記のように各乱数の設定上限値に至ると次に最小値に戻って再び加算が行われる。更新された乱数は前記主制御基板２００のＲＡＭに記憶される。割り込み許可処理（Ｓ４０）では、４ｍｓｅｃごとに入ってくる割り込み処理（Ｓ１００）に対して許可をする。
【００８５】
割り込み処理（Ｓ１００）では、図１７に示すように、まず出力処理（Ｓ１１０）が行われる。
出力処理（Ｓ１１０）では、各処理により前記主制御基板２００の出力バッファに記憶されたコマンド（制御信号）が、対応する制御基板等へ出力される。サブ制御基板２０５へ出力される制御信号には、前記左始動入賞口４０への入賞検出信号、前記右始動入賞口４１への入賞検出信号、前記右中始動入賞口４２への入賞検出信号、前記左始動入賞口４０、前記右始動入賞口４１、あるいは前記右中始動入賞口４２への入賞に基づいて取得された大当たり乱数等の数値データ、変動コマンド等が含まれる。
続く入力処理（Ｓ１２０）では、遊技機１に設けられている種々のセンサ（各入賞装置の検出スイッチ等）が検知した場合の信号入力が行われる。
【００８６】
前記入力処理（Ｓ１２０）の次に普通図柄・特別図柄主要乱数更新処理（Ｓ１３０）が行われる。
前記普通図柄・特別図柄主要乱数更新処理（Ｓ１３０）は、前記メイン処理Ｍにおけるループ処理内で行われている普通図柄・特別図柄主要乱数更新処理（Ｓ３０）と共に本発明における数値データ更新手段に相当し、前記メイン処理Ｍにおけるループ処理内で行われている普通図柄・特別図柄主要乱数更新処理（Ｓ３０）と同様の処理が行われる。前記普通図柄・特別図柄主要乱数更新処理（Ｓ１３０）の次に始動入賞口スイッチ検出処理（Ｓ１４０）が行われる。
【００８７】
始動入賞口スイッチ検出処理（Ｓ１４０）では、図１８及び図１９に示すように、前記普通図柄変動開始用ゲート５５を遊技球が通過したか判断され（Ｓ１４０−１）、遊技球が通過した場合にはゲート通過処理（Ｓ１４０−２）が行われ、次に始動入賞口２（右始動入賞口４１）または始動入賞口３（右中始動入賞口４２）に入賞したか判断される（Ｓ１４０−３）。一方、前記普通図柄変動開始用ゲート５５を遊技球が通過していない場合には、ゲート通過処理（Ｓ１４０−２）を行うことなく、始動入賞口２（右始動入賞口４１）または始動入賞口３（右中始動入賞口４２）に入賞したか判断される（Ｓ１４０−３）。前記始動入賞口２（右始動入賞口４１）と始動入賞口３（右中始動入賞口４２）は第２の始動入賞口である。
【００８８】
前記ゲート通過処理（Ｓ１４０−２）では、図２０に示すように、普通図柄保留数が４以上か判断される（Ｓ１４０−２−１）。普通図柄保留数が４以上の場合には、このゲート通過処理（Ｓ１４０−２）が終了し、一方、普通図柄保留数が４未満の場合には、普通図柄保留数に１加算され（Ｓ１４０−２−２）、次に普通図柄乱数取得処理（Ｓ１４０−２−３）が行われ、その後にこのゲート通過処理（Ｓ１４０−２）が終了する。
【００８９】
前記Ｓ１４０−３において、始動入賞口２（右始動入賞口４１）または始動入賞口３（右中始動入賞口４２）へ入賞したと判断された場合には、特図２保留数が４以上か判断される（Ｓ１４０−４）。特図２保留数は、第２の始動入賞口である始動入賞口２（右始動入賞口４１）及び始動入賞口３（右中始動入賞口４２）への入賞に対する保留（記憶）の数である。特図２保留数が４未満の場合には、特図２保留数に１加算され（Ｓ１４０−５）、次に特図２関係乱数取得処理が行われる（Ｓ１４０−６）。特図２関係乱数取得処理（Ｓ１４０−６）は、本発明における数値データ取得手段に相当し、前記大当たり乱数、大当たり図柄乱数、リーチ乱数、特別図柄データ乱数、変動態様乱数等が取得され、特図２保留として前記主制御基板２００のＲＡＭ（判定保留記憶手段）に記憶（格納）される。次に、特図２保留コマンドのセット（Ｓ１４０−７）と特図２入賞コマンドのセット（Ｓ１４０−８）が行われる。その後、順次変動保留バッファに１加算され（Ｓ１４０−９）、特図１保留数と特図２保留数が合計され（Ｓ１４０−１０）、特図１保留数と特図２保留数の合計値が特図２の変動順データとして前記主制御基板２００のＲＡＭに記憶される（Ｓ１４０−１１）。特図２の変動順データは、特図２保留に関する特別図柄の変動が行われる順番を示すデータである。その後、第１の始動入賞口である始動入賞口１（左始動入賞口４０）へ遊技球が入賞したか判断される（Ｓ１４０−１３）。前記特図１保留数は、第１の始動入賞口である始動入賞口１（左始動入賞口４０）への入賞に対する保留（記憶）の数である。
【００９０】
なお、本実施例では、前記始動入賞口２（右始動入賞口４１）または始動入賞口３（右中始動入賞口４２）へ入賞した場合には、共に特図２の入賞として乱数等が取得されるが、前記始動入賞口２（右始動入賞口４１）に入賞した特図２入賞コマンドか前記始動入賞口３（右中始動入賞口４２）に入賞した特図２入賞コマンドかは、信号の内容から判断可能になっている。例えば、前記始動入賞口２（右始動入賞口４１）に入賞した特図２入賞コマンドは９１Ｈ○○Ｈからなり、それに対して前記始動入賞口３（右中始動入賞口４２）に入賞した特図２入賞コマンドは９２Ｈ○○Ｈで構成されるなどである。
【００９１】
一方、前記Ｓ１４０−４で特図２保留数が４以上と判断されると、次に特図２入賞コマンドがセットされ（Ｓ１４０−１２）、その後、第１の始動入賞口である始動入賞口１（左始動入賞口４０）へ遊技球が入賞したか判断される（Ｓ１４０−１３）。
また、前記Ｓ１４０−３で始動入賞口２（右始動入賞口４１）及び始動入賞口３（右中始動入賞口４２）の何れにも入賞していないと判断されると、次に、第１の始動入賞口である始動入賞口１（左始動入賞口４０）へ遊技球が入賞したか判断される（Ｓ１４０−１３）。
【００９２】
Ｓ１４０−１３で始動入賞口１（左始動入賞口４０）へ遊技球が入賞したと判断された場合には、特図１保留数が４以上か判断される（Ｓ１４０−１４）。特図１保留数が４未満の場合には、特図１保留数に１加算され（Ｓ１４０−１５）、次に特図１関係乱数取得処理が行われる（Ｓ１４０−１６）。前記特図１関係乱数取得処理（Ｓ１４０−１６）は、本発明における数値データ取得手段に相当し、前記大当たり乱数、大当たり図柄乱数、リーチ乱数、特別図柄データ乱数、変動態様乱数等が取得され、特図１保留として前記主制御基板２００のＲＡＭ（判定保留記憶手段）に記憶（格納）される。次に、特図１保留コマンドのセット（Ｓ１４０−１７）、特図１入賞コマンドのセット（Ｓ１４０−１８）が行われ、さらに順次変動保留バッファに１加算され（Ｓ１４０−１９）、その後にこの始動入賞口スイッチ検出処理（Ｓ１４０）が終了する。
【００９３】
また、前記Ｓ１４０−１４で特図１保留数が４以上と判断されると、次に特図１入賞コマンドがセットされ（Ｓ１４０−２０）、その後、この始動入賞口スイッチ検出処理（Ｓ１４０）が終了する。
一方、前記Ｓ１４０−１３で始動入賞口１（左始動入賞口４０）へ遊技球が入賞していないと判断された場合には、そのまま始動入賞口スイッチ検出処理（Ｓ１４０）が終了する。前記始動入賞口スイッチ検出処理（Ｓ１４０）でセットされた入賞コマンド、保留コマンド等は、前記出力処理（Ｓ１１０）でサブ制御基板２０５へ出力される。
前記始動入賞口スイッチ検出処理（Ｓ１４０）の次に普通動作処理（Ｓ１５０）が行われる。
【００９４】
普通動作処理（Ｓ１５０）では、前記普通図柄の変動、停止表示、右中始動入賞口４２の開閉処理等の普通図柄に関する処理が行われる。前記普通動作処理（Ｓ１５０）の次に特別動作処理（Ｓ１６０）が行われる。
【００９５】
特別動作処理（Ｓ１６０）では、図２１に示すように、特別動作ステータスが１〜４の何れであるか判断される（Ｓ１６０−１〜１６０−３）。前記特別動作ステータスが１の場合には特別図柄待機処理（Ｓ１６０−４）が行われ、それに対して前記特別動作ステータスが２の場合には変動中処理（Ｓ１６０−５が行われ、前記特別動作ステータスが３の場合には特別図柄確定処理（Ｓ１６０−６）が行われ、前記特別動作ステータスが４の場合には特別電動役物処理（Ｓ１６０−７）が行われる。
【００９６】
特別図柄待機処理（Ｓ１６０−４）は、本実施例では、前記始動入賞口スイッチ検出処理（Ｓ１４０）で取得した乱数（数値データ）の保留に基づいて特別図柄の変動のための処理を行う。前記特別図柄待機処理（Ｓ１６０−４）では、図２２に示すように、特図１保留数と特図２保留数の合計値（特別図柄保留数）が０か否か判断される（Ｓ１６０−４−１）。特図１保留数と特図２保留数の合計値（特別図柄保留数）が０の場合には、次に前記表示装置１０が特別図柄の変動中ではない待機画面（待ち受け画面）中か否か判断され（Ｓ１６０−４−２）、待機画面（待ち受け画面）中であれば、この特別図柄待機処理（Ｓ１６０−４）が終了し、一方、待機画面（待ち受け画面）中ではない場合には前記表示装置１０を待機画面（待ち受け画面）にする待機画面設定処理（Ｓ１６０−４−３）と客待ちコマンドセット（Ｓ１６０−４−４）が行われ、その後にこの特別図柄待機処理（Ｓ１６０−４）が終了する。
【００９７】
それに対して前記Ｓ１６０−４−１で特図１保留数と特図２保留数の合計値（特別図柄保留数）が０ではないと判断された場合には、次に特図１保留数が０か否か判断され（Ｓ１６０−４−５）、特図１保留数が０の場合には、特図２大当たり判定処理（Ｓ１６０−４−６）が行われる。一方、前記特図１保留数が０ではないと判断されると、次に特図２保留数が０か判断され（Ｓ１６０−４−１２）、特図２保留数が０ではないと判断されると次に特図２に関する変動か、すなわち特別図柄の変動順番（記憶された順番）が、特図２保留に関する変動か（先頭に記憶された保留が特図２に関する保留であるか）判断される（Ｓ１６０−４−１３）。なお、特図２に関する変動は、前記第２の始動入賞口である右始動入賞口（始動入賞口２）４１及び右中始動入賞口（始動入賞口３）４２への入賞により取得されて保留記憶された乱数（数値データ）に基づく特別図柄の変動である。特図２に関する変動と判断されると次に特図２大当たり判定処理（Ｓ１６０−４−６）が行われる。
【００９８】
特図２大当たり判定処理（Ｓ１６０−４−６）は、本発明において数値データ取得手段により取得された数値データに基づいて当否判定を行う当否判定手段の処理に相当する。特図２大当たり判定処理（Ｓ１６０−４−６）では、図２３に示すように、まず、前記主制御基板２００のＲＡＭに記憶されている前記大当たり乱数（第２の始動入賞口への入賞に基づいて取得され、記憶されている大当たり乱数）が判定値としてロードされる（Ｓ１６０−４−６−１）と共に、前記高確率時及び低確率時における大当たり成立数値を定めた大当たり判定値テーブルが格納されているＲＡＭのアドレスがセットされる（Ｓ１６０−４−６−２）。続いて現在確変中（高確率状態中）か否かが判断される（Ｓ１６０−４−６−３）。前記確変中か否かは、前記主制御基板２００に設けられている確変フラグがＯＮ（高確率状態）かＯＦＦ（低確率状態）かによって判断される。確変中の場合には、高確率状態時における大当たり成立数値と前記ロードされた大当たり乱数が一致するか否かにより大当たりか否か判断され（Ｓ１６０−４−６−４）、一方、確変中ではない、すなわち低確率状態時には、低確率状態時における大当たり成立数値と前記ロードされた大当たり乱数が一致するか否かにより大当たりか否か判断され（Ｓ１６０−４−６−５）、一致すれば大当たりと判断されて、前記主制御基板２００に設けられている大当たりフラグがＯＮにセットされる（Ｓ１６０−４−６−６）。その後、この特図２大当たり判定処理（Ｓ１６０−４−６が終了する。なお、前記Ｓ１６０−４−６−４あるいはＳ１６０−４−６−５で大当たりではないと判断されると、大当たりフラグをＯＮにすることなく、この特図２大当たり判定処理（Ｓ１６０−４−６）が終了する。
【００９９】
前記特図２大当たり判定処理（Ｓ１６０−４−６）の後、特図２選択処理（Ｓ１６０−４−７）が行われる。
特図２選択処理（Ｓ１６０−４−７）では、前記表示装置１０で停止表示する特別図柄が決定される。なお、特図２選択処理（Ｓ１６０−４−７）においては、第２の始動入賞口への入賞に基づいて取得され、記憶されている大当たり図柄乱数、特別図柄データ１、２、３の乱数、リーチ乱数が読み出されて用いられる。前記特図２選択処理（Ｓ１６０−４−７）では、図２４に示すように、まず大当たりフラグがＯＮか判断され（Ｓ１６０−４−７−１）、大当たりフラグがＯＮ、すなわち大当たりの場合には前記大当たり図柄乱数に基づく特別図柄が停止特別図柄としてセットされる（Ｓ１６０−４−７−２）。一方、大当たりフラグがＯＮではない、すなわち外れの場合には、前記特別図柄データ１と特別図柄データ２と特別図柄データ３の乱数が全て一致しているか判断され（Ｓ１６０−４−７−３）、一致している場合にはリーチ乱数がリーチ成立数値と一致しているか判断される（Ｓ１６０−４−７−４）。リーチ乱数がリーチ成立数値と一致している場合にはリーチ有りとなり、前記特別図柄データ１の乱数に割り当てられている特別図柄が停止左特別図柄、特別図柄データ２の乱数に１加算した乱数に割り当てられている特別図柄が停止中特別図柄、特別図柄データ３の乱数に割り当てられている特別図柄が停止右特別図柄にセットされる（Ｓ１６０−４−７−５）。一方、リーチ乱数がリーチ成立数値と一致していない場合にはリーチ無しとなり、前記特別図柄データ１の乱数に割り当てられている特別図柄が停止左特別図柄、特別図柄データ２の乱数に割り当てられている特別図柄が停止中特別図柄、特別図柄データ３の乱数に１加算した乱数に割り当てられている特別図柄が停止右特別図柄にセットされる（Ｓ１６０−４−７−６）。
【０１００】
前記Ｓ１６０−４−７−３で特別図柄データ１と２と３の乱数が一致していないと判断された場合には、特別図柄データ１と３の乱数が一致しているか判断される（Ｓ１６０−４−７−７）。特別図柄データ１と３の乱数が一致している場合には、リーチ乱数がリーチ成立数値と一致しているか判断される（Ｓ１６０−４−７−８）。リーチ乱数がリーチ成立数値と一致している場合にはリーチ有りとなり、前記特別図柄データ１の乱数に割り当てられている特別図柄が停止左特別図柄、特別図柄データ２の乱数に割り当てられている特別図柄が停止中特別図柄、特別図柄データ３の乱数に割り当てられている特別図柄が停止右特別図柄にセットされる（Ｓ１６０−４−７−９）。一方、リーチ乱数がリーチ成立数値と一致していない場合にはリーチ無しとなり、前記特別図柄データ１の乱数に割り当てられている特別図柄が停止左特別図柄、特別図柄データ２の乱数に割り当てられている特別図柄が停止中特別図柄、特別図柄データ３の乱数に１加算した乱数に割り当てられている特別図柄が停止右特別図柄にセットされる（Ｓ１６０−４−７−６）。
【０１０１】
前記Ｓ１６０−４−７−７で特別図柄データ１と３の乱数が一致していない、すなわち特別図柄データ１，２，３が全て異なると判断された場合には、リーチ乱数がリーチ成立数値と一致しているか判断される（Ｓ１６０−４−７−１０）。リーチ乱数がリーチ成立数値と一致している場合にはリーチ有りとなり、前記特別図柄データ３の乱数に割り当てられている特別図柄が停止左特別図柄と停止右特別図柄にセットされると共に、特別図柄データ３の乱数に１加算した乱数に割り当てられている特別図柄が停止中特別図柄にセットされる（Ｓ１６０−４−７−１１）。一方、リーチ乱数がリーチ成立数値と一致していない場合にはリーチ無しとなり、前記特別図柄データ１の乱数に割り当てられている特別図柄が停止左特別図柄、特別図柄データ２の乱数に割り当てられている特別図柄が停止中特別図柄、特別図柄データ３の乱数に割り当てられている特別図柄が停止右特別図柄にセットされる（Ｓ１６０−４−７−９）。前記特図２選択処理（Ｓ１６０−４−７）の次に特図２変動態様選択処理（Ｓ１６０−４−８）が行われる。
【０１０２】
特図２変動態様選択処理（Ｓ１６０−４−８）は変動態様選択手段及び変動時間決定手段に相当する。なお、特図２変動態様選択処理（Ｓ１６０−４−８）においては、第２の始動入賞口への入賞に基づいて取得され、記憶されている変動態様乱数、リーチ乱数が読み出されて用いられる。特図２変動態様選択処理（Ｓ１６０−４−８）では、図２５及び図２６に示すように、遊技状態が通常状態（低確率状態）か確変中（高確率状態）の何れであるかが前記確変フラグによって判断される（Ｓ１６０−４−８−１）。通常遊技状態（確変フラグがＯＦＦ）の場合、前記大当たりフラグがＯＮ（大当たり）か否か判断され（Ｓ１６０−４−８−２）、大当たりフラグがＯＮ（大当たり）の場合には、変動態様テーブルにおける通常状態中当りテーブル（本実施例では変動態様１，２）より変動態様乱数に基づいて変動態様が選択される（Ｓ１６０−４−８−３）。一方、前記大当たりフラグがＯＦＦ（外れ）の場合には、前記始動入賞口スイッチ検出処理（Ｓ１４０）で取得されて前記主制御基板２００のＲＡＭに記憶されているリーチ乱数がロードされて、前記リーチ成立数値と一致するか否か確認され（Ｓ１６０−４−８−４）、一致すればリーチ有りとなり、前記変動態様テーブルにおける通常状態中リーチハズレテーブル（本実施例では変動態様３〜６）より変動態様乱数に基づいて変動態様が選択される（Ｓ１６０−４−８−５）。また、前記リーチ乱数がリーチ成立数値と一致しない場合、リーチ無しとなり、前記変動態様テーブルにおける通常状態中ハズレテーブル（本実施例では変動態様７〜９）より変動態様乱数に基づいて変動態様が選択される（Ｓ１６０−４−８−６）。
【０１０３】
一方、確変中（確変フラグがＯＮ）の場合、前記大当たりフラグがＯＮ（大当たり）か否か判断され（Ｓ１６０−４−８−７）、大当たりフラグがＯＮ（大当たり）の場合には、特別遊技（大当たり遊技）状態終了後の特別図柄の変動回数が１〜４回転目又は６〜９回転目であるか否か判断される（Ｓ１６０−４−８−８）。特別図柄の変動回数が１〜４回転目又は６〜９回転目ではないと判断されると、次に特別図柄の変動回数が５回転目であるか判断され（Ｓ１６０−４−８−９）、５回目ではない場合には、変動態様テーブルにおける確変状態中当りテーブル（本実施例では変動態様１０〜１２）より変動態様乱数に基づいて変動態様が選択される（Ｓ１６０−４−８−１０）。一方、特別図柄の変動回数が５回転目の場合には、特定演出当たり変動態様が選択される（Ｓ１６０−４−８−１１）。特定演出当たり変動態様は、大当たりの場合に第２の事前判定結果の演出、すなわち、図１０〜図１５のような演出の途中で当該変動（本実施例では５回転目）が当たりであることを示す演出を伴う変動態様であり、第２の事前判定演出による事前判定結果の報知を行わずに特別遊技（大当たり遊技）状態に移行する。なお、特定演出当たり変動態様が選択された場合、本実施例では第２の事前判定演出ではそのときに記憶されている保留に対する事前判定結果の報知を行わずに特別遊技（大当たり遊技）状態に移行し、特別遊技（大当たり遊技）実行時に第１の事前判定演出によって事前判定結果の報知（示唆）を行うように構成されているが、特定演出当たり変動態様が選択された場合でも第２の事前判定演出によって事前判定結果の報知を行うように構成してもよい。それに対し、Ｓ１６０−４−８−８で特別遊技（大当たり遊技）状態終了後の特別図柄の変動回数が１〜４回転目又は６〜９回転目であると判断されると、０．６Ｓ当たり変動態様（例えば、表示装置で短い当たり報知演出を行う変動態様）が選択される（Ｓ１６０−４−８−１２）。なお、特定演出当たり変動態様が選択される変動回数は５回転目に限らず任意の回転数で設定しても良いし、０．６Ｓ当たり変動態様が選択される変動回数は１〜４回転目又は６〜９回転目に限らず特定演出に関する変動態様が選択される変動回数に合わせて任意に設定しても良い。
【０１０４】
また、Ｓ１６０−４−８−７で大当たりフラグがＯＦＦ（外れ）と判断された場合には、特別遊技（大当たり遊技）状態終了後の特別図柄の変動回数が１〜４回転目又は６〜９回転目であるか否か判断される（Ｓ１６０−４−８−１３）。特別図柄の変動回数が１〜４回転目又は６〜９回転目ではないと判断されると、特別図柄の変動回数が５回転目であるか判断される（Ｓ１６０−４−８−１４）。特別図柄の変動回数が５回目ではない場合には、前記始動入賞口スイッチ検出処理（Ｓ１４０）で取得されて前記主制御基板２００のＲＡＭに記憶されているリーチ乱数がロードされて、前記リーチ成立数値と一致するか否か確認され（Ｓ１６０−４−８−１５）、一致すればリーチ有りとなり、前記変動態様テーブルにおける確変状態中リーチハズレテーブル（本実施例では変動態様１３〜１６）より変動態様乱数に基づいて変動態様が選択される（Ｓ１６０−４−８−１６）。また、前記リーチ乱数がリーチ成立数値と一致しない場合、リーチ無しとなり、前記変動態様テーブルにおける確変状態中ハズレテーブル（本実施例では変動態様１７〜１９）より変動態様乱数に基づいて変動態様が選択される（Ｓ１６０−４−８−１７）。一方、特別図柄の変動が５回転目の場合には、特定演出外れ変動態様が選択される（Ｓ１６０−４−８−１８）。特定演出ハズレ変動態様は、当該変動（本実施例では５回転目）が外れの場合の変動態様であり、第２の事前判定演出が実行される際の変動態様であって、第２の事前判定結果報知時間（第２の事前判定演出時間、特定演出時間）に相当する。特定演出ハズレ変動態様に設定されている特別図柄の変動時間は第２の事前判定結果報知時間（第２の事前判定演出時間、特定演出時間）としても設定される。それに対し、Ｓ１６０−４−８−１３で特別遊技（大当たり遊技）状態終了後の特別図柄の変動回数が１〜４回転目又は６〜９回転目であると判断されると、０．６Ｓハズレ変動態様（例えば何も演出を行わずに次の変動に移る変動態様）が選択される（Ｓ１６０−４−８−１９）。
【０１０５】
前記変動態様が選択された後、その他の処理（Ｓ１６０−４−８−２０）が行われ、この特図２変動態様選択処理（Ｓ１６０−４−８）が終了する。前記特図２変動態様選択処理（Ｓ１６０−４−８）の次に特図２乱数シフト処理（Ｓ１６０−４−９）が行われる。
【０１０６】
特図２乱数シフト処理（Ｓ１６０−４−９）では、前記主制御基板２００のＲＡＭ（判定保留記憶手段）の特別図柄保留のデータ記憶領域において、ロード（読み出し）順位一位（最先の記憶）のアドレスの記憶領域に記憶されていた特図２保留数のデータ（大当たり乱数等の数値データ）が、先の処理によりロードされて空席となることに起因して、ロード順位が二位以降のアドレスに記憶されている特別図柄保留のデータ（数値データ）について、ロード順位を一つずつ繰り上げるアドレスのシフトが行われる。具体的には、図２７に示すように、まず、前記主制御基板２００のＲＡＭに記憶されている前記図２保留数から１減算（例えば保留数２のものは１にされ、３のものは２にされる等）され（Ｓ１６０−４−９−１）、次に各保留数に対応するデータが各保留数から１減算した保留数のＲＡＭアドレスにシフトされ（Ｓ１６０−４−９−２）、続いて最上位（ロード順位が最後、本実施例では４個目）の特図２保留数に対応するＲＡＭアドレスに０がセットされる（Ｓ１６０−４−９−３）。前記特図２乱数シフト処理（Ｓ１６０−４−９）に次いで、特図２変動開始処理（Ｓ１６０−４−９）が行われる。
【０１０７】
特図２変動開始処理（Ｓ１６０−４−１０）では、特別動作ステータスが２に設定されると共に、その他特別図柄の変動開始に必要な処理が行われる。前記特図２変動開始処理（Ｓ１６０−４−１０）の後に、特別図柄を変動させるための特図２変動コマンドがセットされ（Ｓ１６０−４−１１）、この特別柄待機処理（Ｓ１６０−４）が終了する。特図２変動コマンドには前記特図２変動態様選択処理（１６０−４−８）で選択された変動態様が含まれる。また、ここでセットされた特図２変動コマンドは、前記出力処理（Ｓ１１０）でサブ制御基板２０５へ出力される。
【０１０８】
一方、前記Ｓ１６０−４−５で特図１保留数が０ではないと判断されると、次に特図２保留数が０か判断される（Ｓ１６０−４−１２）。特図２保留数が０ではないと判断されると、特図２の変動か、すなわち特別図柄の変動順番（記憶された順番）が、特図２保留に関する変動の順番か判断される（Ｓ１６０−４−１３）。特図２の変動と判断されると、前記特図２大当たり判定処理（Ｓ１６０−４−６）、前記特図２選択処理（Ｓ１６０−４−７）、前記特図２変動態様選択処理（Ｓ１６０−４−８）、前記特図２乱数シフト処理（Ｓ１６０−４−９）、前記特図２変動開始処理（Ｓ１６０−４−１０）、前記特図２変動コマンドセット（Ｓ１６０−４−１１）がこの順に行われる。
【０１０９】
前記Ｓ１６０−４−１３で特図２の変動ではないと判断されると、次に特図１大当たり判定処理（Ｓ１６０−４−１４）が行われる。また、前記Ｓ１６０−４−１２で特図２保留数が０と判断されると、次に特図１大当たり判定処理（Ｓ１６０−４−１４）が行われる。
【０１１０】
特図１大当たり判定処理（Ｓ１６０−４−１４）は、本発明において前記特図２大当たり判定処理（Ｓ１６０−４−６）と同様に、数値データ取得手段により取得された数値データに基づいて当否判定を行う当否判定手段の処理に相当する。特図１大当たり判定処理（Ｓ１６０−４−９）では、前記第１の始動入賞口、すなわち左始動入賞口（始動入賞口１）４０への入賞に基づき取得されて記憶されているた大当たり乱数を用いる点を除き、図２３の特図２大当たり判定処理（Ｓ１６０−４−６）で説明した処理（Ｓ１６０−４−６−１〜Ｓ１６０−４−６−６）が同様にして処理が行われる。
【０１１１】
前記特図１大当たり判定処理（Ｓ１６０−４−１４）の後、特図１選択処理（Ｓ１６０−４−１５）、特図１変動態様選択処理（Ｓ１６０―４−１６）、特図１乱数シフト処理（Ｓ１６０−４−１７）、特図１変動開始処理（Ｓ１６０−４−１８）、特図１変動コマンドセット（Ｓ１６０−４−１９）がこの順に行われる。
【０１１２】
特図１選択処理（Ｓ１６０−４−１５）では、前記第１の始動入賞口、すなわち左始動入賞口（始動入賞口１）４０への入賞に基づき取得されて記憶されている大当たり図柄乱数、特別図柄データ１、２、３の乱数、リーチ乱数を用いる点を除き、図２４の特図２選択処理（Ｓ１６０−４−７）で説明した処理（Ｓ１６０−４−７−１〜Ｓ１６０−４−７−１１）が同様にして行われる。
【０１１３】
特図１変動態様選択処理（Ｓ１６０−４−１６）では、前記第１の始動入賞口、すなわち左始動入賞口（始動入賞口１）４０への入賞に基づき取得されて記憶されている変動態様乱数、リーチ乱数を用いる点を除き、図２５及び図２６の特図２変動態様選択処理（Ｓ１６０−４−８）で説明した処理（Ｓ１６０−４−８−１〜Ｓ１６０−４−８−２０）が同様にして行われる。特図１変動態様選択処理（Ｓ１６０−４−１６）は、変動態様選択手段及び変動時間決定手段に相当する。
【０１１４】
特図１乱数シフト処理（Ｓ１６０−４−１７）では、前記ＲＡＭの特別図柄変動保留数のデータ記憶領域に記憶（格納）されている特図１保留数のデータに対して、図２７の前記特図２乱数シフト処理（Ｓ１６０−４−９）で説明した処理（Ｓ１６０−４−９−１〜Ｓ１６０−４−９−３）が同様にして行われる。
特図１変動開始処理（Ｓ１６０−４−１８）では、特別動作ステータスが２に設定されると共に、その他特別図柄の変動開始に必要な処理が行われる。
特図１変動コマンドセット（Ｓ１６０−４−１９）では、特別図柄を変動させるための特図１変動コマンドがセットされ、この特別柄待機処理（Ｓ１６０−４）が終了する。特図１変動コマンドには前記特図１変動態様選択処理（１６０−４−１６）で選択された変動態様が含まれる。また、ここでセットされた特図１変動コマンドは、前記出力処理（Ｓ１１０）でサブ制御基板２０５へ出力される。
【０１１５】
前記Ｓ１６０−４−１１で特図２変動コマンドがセットされた後、あるいは前記Ｓ１６０−４−１９で特図１変動コマンドがセットされた後、特図２変動順データが１シフトされ（Ｓ１６０−４−２０）、その後、この特別図柄待機処理（Ｓ１６０−４）が終了する。Ｓ１６０−４−２０において１シフトされる特図２変動順データは、前記始動入賞口スイッチ検出処理（Ｓ１４０）のＳ１４０−１１において主制御基板２００のＲＡＭ（判定保留記憶手段）に記憶された特図１保留数と特図２保留数の合計値からなる特図２の変動順データである。
【０１１６】
前記特別動作ステータスが２の場合に行われる変動中処理（Ｓ１６０−５）で
は図２８に示すように、まず特別図柄の変動時間終了、すなわち選択された変動態様の変動時間が終了したか否か判断され（Ｓ１６０−５−１）、変動時間が終了していなければこの変動中処理（Ｓ１６０−５）が終了する。一方、変動時間が終了していれば変動停止コマンドがセットされ（Ｓ１６０−５−２）、続いて特別動作ステータスが３にセットされ（Ｓ１６０−５−３）、その他必要な処理（Ｓ１６０−５−４）が行われた後に、この変動中処理（Ｓ１６０−５）が終了する。
【０１１７】
前記特別動作ステータスが３の場合に行われる特別図柄確定処理（Ｓ１６０−６）では図２９に示すように、まず大当たりフラグがＯＮか否か、すなわち大当たりか否か判断される（Ｓ１６０−６−１）。大当たりフラグがＯＮ、すなわち大当たりの場合には、ラウンドカウンタがセットされ（Ｓ１６０−６−２）、特別動作ステータスが４にセットされ（Ｓ１６０−６−３）、大当たりＯＰ（オープニング）コマンドがセットされた（Ｓ１６０−６−４）後、この特別図柄確定処理（Ｓ１６０−６）が終了する。大当たりＯＰコマンドは、第１の事前判定を行わせるコマンドである。一方、大当たりフラグがＯＦＦ、すなわち外れの場合には、確変中（確変フラグＯＮ）か判断され（Ｓ１６０−６−５）、確変中の場合には確変カウンタ（確変状態における残りの変動回数を示すカウンタ）が１減算され（Ｓ１６０−６−６）、減算後の確変カウンタが０になったか判断される（Ｓ１６０−６−７）。確変カウンタが０の場合には確変フラグがＯＦＦにセットされ（Ｓ１６０−６−８）、次に時短中（時短フラグがＯＮ）か判断される（Ｓ１６０−６−９）。また、前記Ｓ１６０−６−５で確変中ではないと判断された場合、あるいは前記Ｓ１６０−６−７で確変カウンタが０ではないと判断された場合には、次に時短中（時短フラグがＯＮ）か判断される（Ｓ１６０−６−９）。
【０１１８】
前記Ｓ１６０−６−９で時短中と判断されると、時短カウンタ（時短状態における残りの変動回数を示すカウンタ）が１減算され（Ｓ１６０−６−１０）、減算後の時短カウンタが０か判断され（Ｓ１６０−６−１１）、時短カウンタが０の場合には時短フラグがＯＦＦにセットされ（Ｓ１６０−６−１２）、その後特別動作ステータスが１にセットされ（Ｓ１６０−６−１３）、この特別図柄確定処理（Ｓ１６０−６）が終了する。また、前記Ｓ１６０−６−９で時短中ではないと判断された場合、あるいは前記Ｓ１６０−６−１１で時短カウンタが０ではないと判断されると、次に前記特別動作ステータスが１にセットされ（Ｓ１６０−６−１３）、この特別図柄確定処理（Ｓ１６０−６）が終了する。
【０１１９】
前記特別動作ステータスが４の場合に行われる特別電動役物処理（Ｓ１６０−７）では、図３０及び図３１に示すように、大当たり終了フラグがＯＮ（大当たり遊技終了）か否か判断される（Ｓ１６０−７−１）。そして、大当たり終了フラグがＯＮではない、すなわち大当たり遊技（特別遊技）終了ではない場合には現在大入賞口１５が開放中か否か判断され（Ｓ１６０−７−２）、開放中ではなく閉鎖中の場合には大入賞口１５の開放時間か否か判断される（Ｓ１６０−７−３）。大入賞口１５の開放時間の場合には大入賞口の開放処理が行われ（Ｓ１６０−７−４）、その後にこの特別電動役物処理（Ｓ１６０−７）が終了する。それに対して大入賞口１５の開放時間となっていないときには、この特別電動役物処理（Ｓ１６０−７）が終了する。
【０１２０】
一方、前記Ｓ１６０−７−２で大入賞口１５が開放中と判断されると、大入賞口１５に１０個遊技球が入賞（Ｓ１６０−７−５）、若しくはラウンド終了時間（本実施例では３０秒）経過（Ｓ１６０−７−６）の何れかであるか否か判断され、何れでもない場合にはそのままこの特別電動役物処理（Ｓ１６０−７）が終了し、それに対して大入賞口１５に１０個遊技球が入賞、若しくはラウンド終了時間経過の何れかである場合には、大入賞口閉鎖処理（Ｓ１６０−７−７）とラウンドカウンタの値から１減算する処理（Ｓ１６０−７−８）が行われる。なお、前記大入賞口閉鎖処理（Ｓ１６０−７−７）では、大入賞口閉鎖のコマンドが出力バッファにセットされる。続いて、ラウンドカウンタが０か否か判断され（Ｓ１６０−７−９）、ラウンドカウンタが０ではない場合には、そのままこの特別電動役物処理（Ｓ１６０−７）が終了し、それに対してラウンドカウンタが０の場合には、大当たり終了処理（Ｓ１６０−７−１０）が行われ、その後、大当たり終了フラグがＯＮにされ（Ｓ１６０−７−１１）、この特別電動役物処理（Ｓ１６０−７）が終了する。
【０１２１】
一方、前記Ｓ１６０−７−１で大当たり終了フラグがＯＮ、すなわち大当たり終了と判断されると、大当たり終了フラグをＯＦＦにセットする処理（Ｓ１６０−７−１２）と、大当たりフラグをＯＦＦにする処理（Ｓ１６０−７−１３）が行われる。その後に確変フラグがＯＮにされると共に確変カウンタに９がセットされ（Ｓ１６０−７−１４）、また、時短フラグがＯＮにセットされると共に時短カウンタに５０がセットされ（Ｓ１６０−７−１５）、特別動作ステータスが１にセットされる（Ｓ１６０−７−１６）。そして、この特別電動役物処理（Ｓ１６０−７）が終了する。
【０１２２】
前記特別動作処理（Ｓ１６０）の次に保留数処理（Ｓ１７０）が行われる。保留数処理（Ｓ１７０）では、図３２に示すように保留数がロードされ（Ｓ１７０−１）、保留数が出力バッファにセットされる（Ｓ１７０−２）。
【０１２３】
前記保留数処理（Ｓ１７０）の次に電源断監視処理（Ｓ１８０）が行われる。電源断監視処理（Ｓ１８０）では、図３３に示すように、電源断信号が入力したか判断され（Ｓ１８０−１）、電源断信号が入力していない場合にはこの電源断監視処理（Ｓ１８０）が終了する。一方、電源断信号が入力している場合には、現在のデータ（遊技状態）が前記主制御基板２００のＲＡＭに記憶され（Ｓ１８０−２）、その後電源断フラグがＯＮに設定され（Ｓ１８０−３）、この電源断監視処理（Ｓ１８０）が終了する。なお、前記主制御基板２００のＲＡＭに記憶されるデータ（遊技状態）としては、大きく分けて、表示待機中、図柄変動中、図柄確定表示中、大当たり遊技中のデータがあり、さらにそれぞれ確変状態（高確率状態）と通常状態（低確率状態）のデータがある。
【０１２４】
前記電源断監視処理（Ｓ１８０）の次にその他の処理（Ｓ１９０）が行われる。その他の処理（Ｓ１９０）では、遊技制御に必要なその他の処理が行われる。
【０１２５】
前記サブ制御基板（サブ制御装置）２０５が行う処理について説明する。
前記サブ制御基板２０５が行うサブ制御メイン処理Ｊでは、図３４に示すように、遊技機１の電源投入時にサブ制御基板２０５においてＣＰＵ初期化処理が行われる（Ｓ２０１）。ＣＰＵ初期化処理（Ｓ２０１）では、外部ＩＮＴ割り込み（受信割り込み）処理（Ｓ３００）、２ｍｓタイマ割り込み処理（Ｓ４００）、１０ｍｓタイマ割り込み処理（Ｓ５００）に対する設定等が行われる。次に、電源断信号がＯＮでＲＡＭの内容が正常か判断される（Ｓ２０２）。電源断信号ＯＮとＲＡＭの内容正常の両方を満たしていない場合は、ＲＡＭの初期化が行われ（Ｓ２０３）、その後にウォッチドッグタイマカウンタ１、２の初期化が行われる（Ｓ２０４）。一方、電源断信号ＯＮとＲＡＭの内容正常の両方を満たす場合には、ＲＡＭの初期化を行うことなくウォッチドッグタイマカウンタ１、２の初期化が行われる（Ｓ２０４）。Ｓ２０１〜Ｓ２０４の処理は、電源投入時の１順目にのみ実行され、その後は実行されることがない。
【０１２６】
ウォッチドッグタイマカウンタ１、２の初期化（Ｓ２０４）の後、ループ処理で割り込み禁止（Ｓ２０５）、乱数シード更新（Ｓ２０６）、コマンド送信処理（Ｓ２０７）、ウォッチドッグタイマカウンタ１初期化（Ｓ２０８）、割り込み許可（Ｓ２０９）が行われる。また、ループ処理の間に、外部ＩＮＴ割り込み処理（Ｓ３００）、１ｍｓタイマ割り込み処理（Ｓ４００）、１０ｍｓタイマ割り込み処理（Ｓ５００）が行われる。
【０１２７】
割り込み禁止（Ｓ２０５）では、割り込みが入っても割り込みを禁止する。
乱数シード更新（Ｓ２０６）では、各種乱数の更新が行われる。ここで更新される乱数には、前記事前判定カウンタの事前判定結果乱数が含まれる。
コマンド送信処理（Ｓ２０７）では、サブ制御基板２０５の処理でセットされた各種コマンドが該コマンドと対応する基板、装置へ送信される。
ウォッチドッグタイマカウンタ１初期化（Ｓ２０８）では、ウォッチドッグタイマカウンタ１の値が初期化される。
割り込み許可（Ｓ２０９）では、割り込みの実行を許可する。
【０１２８】
外部ＩＮＴ割り込み処理（Ｓ３００）では、図３５に示すように、前記主制御基板２００からのストローブ（ＳＴＢ）信号がＯＮか確認され（Ｓ３０１）、ストローブ信号がＯＮ、すなわち外部ＩＮＴ入力部にストローブ信号が入力されると、前記主制御基板２００から出力されたコマンド（制御信号）の受信およびＲＡＭへの格納が行われる（Ｓ３０２）。ここで主制御基板２００から受信するコマンド（制御信号）には、前記数値データ、前記変動コマンド、前記当否判定の判定結果等が含まれる。それに対し、ストローブ信号がＯＮになっていなければ、その時点でこの外部ＩＮＴ割り込み処理（Ｓ３００）が終了する。
【０１２９】
２ｍｓタイマ割り込み処理（Ｓ４００）では、図３６に示すように、入力処理（Ｓ４０１）、ランプデータ出力処理（Ｓ４０２）、ウォッチドッグタイマ処理（Ｓ４０３）、その他の処理（Ｓ４０４）が行われる。入力処理（Ｓ４０１）では、遊技ボタンスイッチ（操作手段）６７からの信号の受信等が行われ、ランプデータ出力処理（Ｓ４０２）では、後述の１０ｍｓタイマ割り込み処理で作成されたランプのデータが出力される。また、ウォッチドッグタイマ処理（Ｓ４０３）では、ウォッチドッグタイマのリセット処理が行われる。
【０１３０】
１０ｍｓタイマ割り込み処理（Ｓ５００）では、図３７に示すように、前記外部ＩＮＴ割り込み処理（Ｓ３００）で受信したコマンド（信号）の解析処理及び動作の設定を行うメインコマンド解析処理（Ｓ５０１）、前記表示装置１０で行う特定演出に関する特定演出シナリオ更新処理（Ｓ５０２）、出力するランプデータの作成等を行うその他の処理（Ｓ５０３）、ウォッチドッグタイマカウンタ２初期化処理（Ｓ５０４）が行われる。
【０１３１】
前記メインコマンド解析処理（Ｓ５０１）では、図３８に示すように、前記主制御基板２００から何れかのコマンドを受信したか判断され（Ｓ５０１−１）、何れのコマンドも受信していない場合には、このメインコマンド解析処理（Ｓ５０１）が終了する。一方、何れかのコマンドを受信していた場合には、受信したコマンドが特図変動コマンド（特図１変動コマンドあるいは特図２変動コマンド）か判断され（Ｓ５０１−２）、特図変動コマンド（特図１変動コマンドあるいは特図２変動コマンド）の場合、特定演出に関わる変動（第２の事前判定の演出に関わる変動）か否か判断される（Ｓ５０１−３）。特定演出に関わる変動であるか否かの判断は、受信した特図変動コマンド（特図１変動コマンドあるいは特図２変動コマンド）に含まれる変動態様が、前記特定演出当たり変動態様あるいは特定演出ハズレ変動態様である場合に特定演出に関わる変動と判断され、一方、受信した特図変動コマンド（特図１変動コマンドあるいは特図２変動コマンド）に含まれる変動態様が、その他の変動態様の場合に特定演出に関する変動ではないと判断される。
【０１３２】
前記Ｓ５０１−３において特定演出に関する変動ではないと判断されると、このメインコマンド監視処理（Ｓ５０１）が終了する。一方、特定演出に関する変動（例えば、図１０〜図１５に示す変動）であると判断されると、特定演出監視がＯＮに設定され（Ｓ５０１−４）、演出タイマが０に設定され（Ｓ５０１−５）、さらに特定演出保留フラグがＯＦＦに設定される（Ｓ５０１−６）と共に特定演出保留が０にされ（Ｓ５０１−７）、このメインコマンド監視処理（Ｓ５０１）が終了する。なお、前記特定演出監視がＯＮにされることにより、前記表示装置１０において特定演出の開始画面、例えば図１０に示す「天使チャンス」の画面が表示される。また、Ｓ５０１−２で受信コマンドが特図変動コマンド（特図１変動コマンド及び特図２変動コマンド）ではないと判断されると、受信したコマンドが始動入賞口コマンド（特図１入賞コマンドまたは特図２入賞コマンド）か否か判断される（Ｓ５０１−８）。受信コマンドが始動入賞口コマンドの場合には始動入賞口処理（Ｓ５０１−９）が行われ、その後にこのメインコマンド監視処理（Ｓ５０１）が終了する。一方、受信コマンドが始動入賞口コマンドとは異なる場合、受信コマンドが大当たりＯＰコマンドか否か判断され（Ｓ５０１−１０）、受信コマンドが大当たりＯＰコマンドの場合にはラウンド演出抽選処理（Ｓ５０１−１１）が行われ、その後メインコマンド監視処理（Ｓ５０１）が終了する。また、Ｓ５０１−１０で受信コマンドが大当たりＯＰコマンドとは異なると判断されると、受信コマンドに対するその他の処理が行われ（Ｓ５０１−１２）、このメインコマンド監視処理（Ｓ５０１）が終了する。
【０１３３】
前記始動入賞口処理（Ｓ５０１−９）では、図３９に示すように、まず入賞データ格納処理（Ｓ５０１−９−１）が行われる。
入賞データ格納処理（Ｓ５０１−９−１）では、図４０に示すように、入賞インデックス（入賞数のカウンタ）が８未満か判断される（Ｓ５０１−９−１−）。入賞インデックスは、前記第１の始動入賞口及び第２の始動入賞口への入賞数（合計入賞数）を示すカウンタであり、前記主制御基板２００の制御処理における特別図柄保留数（特図１保留数と特図２保留数の合計）と対応するものであり、前記サブ制御基板２０５のＲＡＭの記憶領域に設けられている。前記入賞インデックスが８未満でなければ（すなわち８以上であれば）、この入賞データ格納処理（Ｓ５０１−９−１）が終了する。一方、入賞インデックスが８未満であれば、受信したコマンドが特図１入賞コマンドか判断される（Ｓ５０１−９−１−２）。受信したコマンドが特図１入賞コマンドの場合、特図１保留数が４未満か判断され（Ｓ５０１−９−３）、特図１保留数が４未満ではない場合にはこの入賞データ格納処理（Ｓ５０１−９−１）が終了する。それに対し、特図１保留数が４未満の場合、前記サブ制御基板２０５のＲＡＭに設けられている入賞データバッファの「入賞インデックス」番目に、今回の特図１入賞コマンドに基づく入賞データ（大当たり乱数等の数値データ）が格納され（Ｓ５０１−９−１−４）、「入賞インデックス」の数値が１加算され（Ｓ５０１−９−１−５）、この入賞データ格納処理（Ｓ５０１−９−１）が終了する。
【０１３４】
前記Ｓ５０１−９−１−２で受信コマンドが特図１入賞コマンドではない（すなわち特図２入賞コマンド）と判断されると、特図２保留数が４未満か判断され（Ｓ５０１−９−６）、特図２保留数が４未満ではない場合にはこの入賞データ格納処理（Ｓ５０１−９−１）が終了する。それに対し、特図２保留数が４未満の場合、前記サブ制御基板２０５のＲＡＭに設けられている入賞データバッファの「入賞インデックス」番目に、今回の特図２入賞コマンドに基づく入賞データ（大当たり乱数等の数値データ）が格納され（Ｓ５０１−９−１−７）、「入賞インデックス」の数値が１加算され（Ｓ５０１−９−１−８）、この入賞データ格納処理（Ｓ５０１−９−１）が終了する。このように、本実施例では、特図１の変動と特図２の変動について、前記第１の始動入賞口と第２の始動入賞口の何れか一方の入賞を優先させるのではなく、入賞順に変動を行うことになっているため、受信した始動入賞口コマンド（特図１入賞コマンドまたは特図２入賞コマンド）に対応した入賞データを入賞順に入賞データバッファに格納している。
【０１３５】
前記入賞データ格納処理（Ｓ５０１−９−１）に次いで、今回の入賞が第２の始動入賞口における始動入賞口３（右中始動入賞口４２）への入賞か否か判断される（Ｓ５０１−９−２）。始動入賞口３（右中始動入賞口４２、第２の始動入賞口４２）への入賞と判断されると、特定演出保留処理（Ｓ５０１−９−３）が行われ、次に入賞コマンドに対応するその他の処理が実行され（Ｓ５０１−９−４）、その後にこの始動入賞口処理（Ｓ５０１−９）が終了する。一方、前記Ｓ５０１−９−２で始動入賞口３（右中始動入賞口４２）への入賞ではないと判断されると、前記特定演出保留処理（Ｓ５０１−９−３）を行うことなく、入賞コマンドに対応するその他の処理が実行され（Ｓ５０１−９−４）、この始動入賞口処理（Ｓ５０１−９）が終了する。
【０１３６】
前記特定演出保留処理（Ｓ５０１−９−３）では、図４１に示すように、特定演出保留フラグがＯＮか判断され（Ｓ５０１−９−３−１）、特定演出保留フラグがＯＮの場合、さらに特定演出保留数が４未満か判断される（Ｓ５０１−９−３−２）。特定演出保留数が４未満の場合、入賞データバッファの「特定演出保留数」番目に記憶された大当たり乱数などの入賞データ（数値データ）に基づいて特定演出保留コマンドが作成され（Ｓ５０１−９−３−３）、作成された特定演出保留コマンドが表示制御基板２１０へ送信される（Ｓ５０１−９−３−４）。その後に、特定演出保留数に１加算され（Ｓ５０１−９−３−５）、この特定演出保留処理（Ｓ５０１−９−３）が終了する。一方、前記Ｓ５０１−９−３−１で特定演出保留フラグがＯＮではないと判断された場合、あるいはＳ５０１−９−３−２で特定演出保留数が４未満ではないと判断されると、この特定演出保留処理（Ｓ５０１−９−３）が終了する。前記特定演出保留処理（Ｓ５０１−９−３）で作成された特定演出保留コマンドに基づいて、特定演出の際に前記表示装置１０で事前判定数（特定演出保留数）が表示される（例えば、図１２、図１３等の事前判定数５１）。
【０１３７】
前記ラウンド演出抽選処理（Ｓ５０１−１１）は、第１の事前判定手段に相当する。前記ラウンド演出抽選処理（Ｓ５０１−１１）では、図４２に示すように、まずサブ制御基板２０５のＲＡＭにおける入賞データバッファの［０］〜［３］（１番目〜４番目）に記憶されている数値データ（大当たり乱数）を参照し、各入賞データバッファに記憶されている数値データが大当たり（または大当たりとなる数値データの少なくとも１つ）となっているか判断される。本実施例では、大当たり終了後に確変状態に移行するため、記憶されている数値データが確変状態での大当たり乱数値と一致するか否かが判断される（Ｓ５０１−１１−１）。次にＳ５０１−１１−１における判断結果（すなわち、入賞データバッファの［０」〜［３］（１番目〜４番目）に記憶されている数値データ（大当たり乱数）の中に何個大当たりとなる数値データが記憶されているか］に基づいて大当たり回数が取得される（Ｓ５０１−１１−２）。取得された大当たり回数が４回、３回、２回、１回、０回の何れか判断される（Ｓ５０１−１１−３〜Ｓ５０１−１１−６）。
【０１３８】
大当たり回数が４回であれば、前記事前判定結果乱数を取得し、図４６に示す大当たり回数４の抽選テーブル４を用いて演出が抽選され（Ｓ５０１−１１−７）、抽選された演出の演出コマンドが表示制御基板２１０へ送信される（Ｓ５０１−１１−１２）。大当たり回数が３回の場合には、前記事前判定結果乱数を取得し、図４６に示す大当たり回数３の抽選テーブル３を用いて演出が抽選され（Ｓ５０１−１１−８）、抽選された演出の演出コマンドが表示制御基板２１０へ送信される（Ｓ５０１−１１−１２）。大当たり回数が２回の場合には、前記事前判定結果乱数を取得し、図４６に示す大当たり回数２の抽選テーブル２を用いて演出が抽選され（Ｓ５０１−１１−９）、抽選された演出の演出コマンドが表示制御基板２１０へ送信される（Ｓ５０１−１１−１２）。大当たり回数が１回の場合には、前記事前判定結果乱数を取得し、図４６に示す大当たり回数１の抽選テーブル１を用いて演出が抽選され（Ｓ５０１−１１−１０）、抽選された演出の演出コマンドが表示制御基板２１０へ送信される（Ｓ５０１−１１−１２）。大当たり回数が０回の場合には、前記事前判定結果乱数を取得し、図４６に示す大当たり回数０の抽選テーブル０を用いて演出が抽選され（Ｓ５０１−１１−１１）、抽選された演出の演出コマンドが表示制御基板２１０へ送信される（Ｓ５０１−１１−１２）。
【０１３９】
特定演出シナリオ更新処理（Ｓ５０２）では、図４３に示すように、特定演出監視がＯＮか否か判断され（Ｓ５０２−１）、特定演出監視がＯＮではない場合、この特定演出シナリオ更新処理（Ｓ５０２）が終了する。一方、特定演出監視がＯＮの場合、演出タイマに１０加算され（Ｓ５０２−２）、次に先読み開始フラグがＯＮか確認され（Ｓ５０２−３）、先読み開始フラグがＯＮの場合、先読み演出開始処理（Ｓ５０２−４）が行われ、この特定演出シナリオ更新処理（Ｓ５０２）が終了する。
【０１４０】
それに対してＳ５０２−３で先読み開始フラグがＯＮではないと判断された場合、次に特定演出保留フラグがＯＮか判断され（Ｓ５０２−５）、特定演出保留フラグがＯＮではない場合、演出タイマの値が設定時間１を超えたか判断される（Ｓ５０２−６）。演出タイマの値が設定時間１を超えていない場合、この特定演出シナリオ更新処理（Ｓ５０２）が終了する。一方、演出タイマの値が設定時間１を超えていた場合には、特定演出保留フラグがＯＮにされる（Ｓ５０２−７）と共に演出タイマが０にされ（Ｓ５０２−８）、この特定演出シナリオ更新処理（Ｓ５０２）が終了する。一方、Ｓ５０２−５で特定演出保留フラグがＯＮと判断されると、演出タイマの値が設定時間２を超えたか判断される（Ｓ５０２−９）。演出タイマの値が設定時間２を超えていない場合、この特定演出シナリオ更新処理（Ｓ５０２）が終了し、一方、演出タイマの値が設定時間２を超えていた場合には、先読み開始フラグがＯＮにされ（Ｓ５０２−１０）、演出タイマが０にされ（Ｓ５０２−１１）、この特定演出シナリオ更新処理（Ｓ５０２）が終了する。
【０１４１】
前記設定時間１は、特定演出開始画面を表示し続ける時間であり、演出タイマが設定時間１になるまで、例えば図１０に示す「天使チャンス」の特定演出開始画面を表示し続ける。そして、演出タイマが設定時間１を超えると、前記始動入賞口３（右中始動入賞口４２）への入賞を促す画面、例えば図１１のように「右打ちしてメモリーを溜めてください」の語句及び事前判定数が０の画面に切り替わり、その後、演出タイマが設定時間２となるまで、前記始動入賞口３（右中始動入賞口４２）への入賞を促すための画面（例えば図１１、図１２）を表示し続ける。また、前記第２の始動入賞口における右中始動入賞口（始動入賞口３）４２へ入賞すると、入賞数が事前判定数５１として上限数（本実施例では、右中始動入賞口（始動入賞口３）４２への入賞に関する特図２保留数の上限と同じ値の４）となるまで加算されて表示される。そして演出タイマが設定時間２を超えると、事前判定数と共に遊技者に所定の操作を促す画面、例えば図１３に示すように事前判定数５１と「連打でメーターを溜めてください」の語句を表示する画面に切り替わる。前記始動入賞口３（右中始動入賞口４２）への入賞を促す画面が表示された際に、既に判定保留記憶手段（入賞データバッファ）に記憶された保留があった場合は、判定保留記憶手段（入賞データバッファ）に記憶された保留が上限数となるまでは、判定保留記憶手段（入賞データバッファ）に記憶されている保留数と事前判定数５１として表示されている数が異なる。逆に、上限数まで保留数が溜まらなくても「右打ちしてメモリーを溜めてください」と表示されている時間が経過した時点で、表示されている事前判定数５１分の保留数だけ事前判定を行う。このとき、表示されている事前判定数５１が０であれば事前判定の演出は行わずに、別の演出を行うように設定してもよい。
【０１４２】
前記先読み開始フラグがＯＮの場合に実行される先読み演出処理（Ｓ５０２−４）では、図４４に示すように、まず特定演出保留数が０より大か否か判断され（Ｓ５０２−４−１）、特定演出保留数が０より大でなければ特定演出監視がＯＦＦ（Ｓ５０２−４−２）、演出タイマが０（Ｓ５０２−４−３）、特定演出保留フラグがＯＦＦ（Ｓ５０２−４−４）、特定演出保留数が０（Ｓ５０２−４−５）、先読み開始フラグがＯＦＦ（Ｓ５０２−４−６）、保留消化演出がＯＦＦ（Ｓ５０２−４−７）、保留消化Ｉｎｄｅｘが０（Ｓ５０２−４−８）にされ、この先読み演出処理（Ｓ５０２−４）が終了する。
【０１４３】
一方、前記Ｓ５０２−４−１で特定演出保留数が０より大と判断されると、次に保留消化演出がＯＦＦか判断される（Ｓ２０５−４−９）。保留消化演出がＯＦＦの場合、演出タイマが設定時間３を超えたか判断され（Ｓ５０２−４−１０）、設定時間３を超えていなければこの先読み演出処理（Ｓ５０２−４）が終了し、設定時間３を超えていれば、演出タイマが０にされ（Ｓ５０２−４−１１）、次に保留消化演出処理（Ｓ５０２−４−１２）が行われ、その後にこの先読み演出処理（Ｓ５０２−４）が終了する。
【０１４４】
設定時間３は、前記事前判定数と共に遊技者に所定の操作を促す画面、例えば図１３に示すように事前判定数５１と「連打でメーターを溜めてください」の語句を表示する画面を表示し続ける時間である。そして、設定時間３を超えると、後述の保留消化演出処理（Ｓ５０２−４−１２）によって表示制御基板２１０へ送信されれた大当たり演出コマンド、あるいははずれ演出コマンドに基づいて事前判定結果を報知する画面が、前記表示装置１０に表示される。例えば図８のように大当たりの場合には「Ｖ」を表示する画面、あるいは外れの場合には「残念」を表示する画面（図示せず）が表示される。
【０１４５】
保留消化演出処理（Ｓ５０２−４−１２）では、図４５に示すように、サブ制御基板２０５のＲＡＭにおける入賞データバッファの「保留消化Ｉｎｄｅｘ」番目の大当たり乱数（数値データ）が大当たりか、すなわち前記主制御基板２００の処理における当否判定手段によって当たり（大当たり）と判定される乱数（数値データ）の少なくとも一つか否か確認され（Ｓ５０２−４−１２−１）、大当たりであれば大当たり演出コマンドが表示制御基板２１０へ送信され（Ｓ５０２−４−１２−２）、一方、大当たりでなければはずれ演出コマンドが主制御基板２１０へ送信される（Ｓ５０２−４−１２−３）。その後、保留消化Ｉｎｄｅｘの値に１加算され（Ｓ５０２−４−１２−４）、保留消化演出がＯＮに設定され（Ｓ５０２−４−１２−５）、この保留消化演出処理（Ｓ５０２−４−１２）が終了する。図４３の特定演出シナリオ更新処理（Ｓ５０２）、図４４の先読み演出処理（Ｓ５０２−４）、図４５の保留消化演出処理（Ｓ５０２−４−１２）は、第２の事前判定手段に相当する。
【０１４６】
それに対し、前記Ｓ５０２−４−９で保留消化演出がＯＦＦではないと判断されると、演出タイマが設定時間４を超えたか判断され（Ｓ５０２−４−１３）、設定時間４を超えていなければ、この先読み演出処理（Ｓ５０２−４）が終了する。一方、演出タイマが設定時間４を超えていれば、演出タイマが０にされ（Ｓ５０２−４−１４）、特定演出保留数が１減算され（Ｓ５０２−４−１５）、保留消化演出がＯＦＦにされ（Ｓ５０２−４−１６）、この先読み演出処理（Ｓ５０２−４）が終了する。設定時間４は、事前判定結果を表示し続ける時間であり、例えば図１４の事前判定結果の画面を表示し続ける時間である。そして、設定時間４を超えると、図１５に示すように事前判定数５１が１減らされた画面が表示される。
【０１４７】
なお、前記事前判定数が０となるまで、前記事前判定数と共に遊技者に所定の操作を促す画面（例えば図１３）、事前判定結果を表示する画面（例えば図１４）、減算後の残りの事前判定数を表示する画面（例えば図１５）が順に表示され、特定演出が続けられる。また、前記特定演出が続く時間（特定演出時間）は、演出タイマが設定時間１を超えた時間以降、すなわち、特定演出に関わる変動の途中から変動が終わるまでの時間である。
【０１４８】
このように、本実施例の遊技機は、特別遊技状態中（第１の事前判定手段の実行タイミング）に行われる第１の事前判定手段による事前判定結果（第１の事前判定結果）を表示する第１の事前判定演出及び、その演出時に事前判定された数値データに基づく識別情報の変動が終了した後の識別情報の変動に基づくタイミング（第２の事前判定手段の実行タイミング）で第２の事前判定手段による事前判定結果（第２の事前判定結果）を表示する第２の事前判定演出を実行することで、２つの事前判定の演出を行う新しい遊技性を得ることができる。さらに本実施例では、識別情報の変動表示を間に挟んで第１の事前判定演出と第２の事前判定演出を実行するという、新しい遊技性を持った事前判定の演出を行うことが可能となる。特に、第１の事前判定演出及び、その演出時に事前判定された数値データに基づく識別情報の変動が終了した次（直後）に第２の事前判定演出を行うことで、連続的に事前判定演出が実行される新しい遊技性を持った事前判定の演出を行うことが可能となる。
【０１４９】
本発明は、前記実施例に限定されるものではなく、発明の趣旨を逸脱しない範囲で変更可能である。本実施例では、第１の事前判定演出は、スロットの図柄がどの色で揃うか、あるいは揃わないかによって、第１の事前判定を行った保留の範囲内に大当たりがいくつ含まれているかを曖昧に示唆する演出を行っているが、第１の事前判定中に対応する保留ごとに当たりか外れかを明確に示唆するような演出を行う構成としてもよい。また、第１の事前判定演出において揃う図柄の種類を複数種類の中から選択する構成としてもよい。
【０１５０】
また、本実施例では、第１の事前判定演出において事前判定を行う最大の保留数を４、第２の事前判定演出において事前判定を行う最大の保留数を４に設定されているが、始動入賞口１で特図１用の乱数（数値データ）を取得し、始動入賞口２と始動入賞口３で特図２用の乱数（数値データ）を取得する構成であるため、例えば第１の事前判定演出での事前判定を行う最大の保留数を８、第２の事前判定演出での事前判定を行う最大の保留数を４としたり、第１の事前判定演出での事前判定を行う最大の保留数を４、第２の事前判定演出での事前判定を行う最大の保留数を８としたりしてもよい。
【０１５１】
本実施例では、第１の事前判定を特別遊技状態のラウンド中に行い、第２の事前判定を識別情報の変動に基づいて行う構成であるが、第１の事前判定を識別情報の変動に基づいて行う構成にしてもよく、また第２の事前判定演出とその事前判定を行った保留の消化（すなわち変動表示または当否判定結果の表示）を行った後（次）に更に事前判定演出を行うようにしてもよい。そのような構成とすることで第１の事前判定演出と第２の事前判定演出を連続的に行う新しい遊技性を持った事前判定の演出を行うことが可能となる。
【０１５２】
本実施例における遊技盤の盤面構成は、盤面中央下側に振り分け装置を備え、通常遊技中は、振り分け装置下方の始動入賞口１と始動入賞口２に入賞可能として始動入賞口３には入賞しないようにし、確変・時短中は右打ちを行って始動入賞口３に入賞可能とし、右打ち中は始動入賞口１と始動入賞口２に入賞しないように構成されているが、このような構成に限られず、例えば図４７のように、始動入賞口（第１の始動入賞口）７１の下方に可動片７２ａ，７２ｂを有する可変始動入賞口（第２の始動入賞口）７２を備えた構成の遊技盤６９としてもよい。この場合、始動入賞口７１で特図１用の乱数（数値データ）を取得し、可変始動入賞口７２で特図２用の乱数（数値データ）を取得するようにし、特図２用の乱数（数値データ）の保留を優先して消化するような構成で本発明を用いてもよく、あるいは取得した特図１用の乱数（数値データ）と特図２用の乱数（数値データ）を、取得順（入賞順）に消化するような構成のものに本発明を適用してもよい。符号７０は遊技領域、７５は大入賞口である。また、図４８のように、始動入賞口（第１の始動入賞口）８１の下方に可動片８２ａ，８２ｂを有する可変始動入賞口（第２の始動入賞口）８２を備えた構成の遊技盤７９とし、確変・時短中は右打ちを行うことで可変始動入賞口８２には遊技球が入賞し、始動入賞口８１には遊技球が入賞しない構成のものに本発明を適用してもよい。符号８０は遊技領域、８５は大入賞口である。何れの構成とした場合にも、第１の事前判定演出と当該事前判定で判定した保留の消化（識別情報の変動または当否判定結果の表示）後に第２の事前判定演出を行うことによる新たな遊技性を持った演出を行うことが可能になる。また、本実施例では第１の事前判定演出で事前判定を行った保留の次の保留に相当する５回転目の識別情報の変動表示の際に第２の事前判定演出を行うように構成されているが、このような構成に限らず、例えば事前判定を行った分の最後の保留に相当する変動（本実施例では４回転目）の際に第２の事前判定演出を行うようにしてもよい。そのような構成にすることで、既に事前判定演出によって変動前に結果が示唆（報知）されている識別情報の変動に遊技性を持たせることが可能となる。
【符号の説明】
【０１５３】
１  遊技機
２  遊技盤
６  遊技領域
１０  表示装置
４０  左始動入賞口（始動入賞口１、第１の始動入賞口）
４１  右始動入賞口（始動入賞口２、第２の始動入賞口）
４２  右中始動入賞口（始動入賞口３、第２の始動入賞口）
６４  発射装置
６７  遊技ボタンスイッチ
２００  主制御御基板（表示制御装置）
２０５  サブ制御基板（サブ制御基板）
【図１】
0005226114.tif 000002
【図２】
0005226114.tif 000003
【図３】
0005226114.tif 000004
【図４】
0005226114.tif 000005
【図５】
0005226114.tif 000006
【図６】
0005226114.tif 000007
【図７】
0005226114.tif 000008
【図８】
0005226114.tif 000009
【図９】
0005226114.tif 000010
【図１０】
0005226114.tif 000011
【図１１】
0005226114.tif 000012
【図１２】
0005226114.tif 000013
【図１３】
0005226114.tif 000014
【図１４】
0005226114.tif 000015
【図１５】
0005226114.tif 000016
【図１６】
0005226114.tif 000017
【図１７】
0005226114.tif 000018
【図１８】
0005226114.tif 000019
【図１９】
0005226114.tif 000020
【図２０】
0005226114.tif 000021
【図２１】
0005226114.tif 000022
【図２２】
0005226114.tif 000023
【図２３】
0005226114.tif 000024
【図２４】
0005226114.tif 000025
【図２５】
0005226114.tif 000026
【図２６】
0005226114.tif 000027
【図２７】
0005226114.tif 000028
【図２８】
0005226114.tif 000029
【図２９】
0005226114.tif 000030
【図３０】
0005226114.tif 000031
【図３１】
0005226114.tif 000032
【図３２】
0005226114.tif 000033
【図３３】
0005226114.tif 000034
【図３４】
0005226114.tif 000035
【図３５】
0005226114.tif 000036
【図３６】
0005226114.tif 000037
【図３７】
0005226114.tif 000038
【図３８】
0005226114.tif 000039
【図３９】
0005226114.tif 000040
【図４０】
0005226114.tif 000041
【図４１】
0005226114.tif 000042
【図４２】
0005226114.tif 000043
【図４３】
0005226114.tif 000044
【図４４】
0005226114.tif 000045
【図４５】
0005226114.tif 000046
【図４６】
0005226114.tif 000047
【図４７】
0005226114.tif 000048
【図４８】
0005226114.tif 000049